(57)【要約】  効率的にサイドリンクダイレクトディスカバリーを行うことが可能な端末装置、基地局装置、通信システム、測定方法および集積回路を提供すること。端末装置において、受信部は、サイドリンクダイレクトディスカバリーに関する第１の設定を含むＲＲＣ接続再設定メッセージを受信し、第１の設定に周波数情報が含まれる場合、既定の時間を計時するタイマーを用いて、タイマーの計時中に、周波数情報で示される周波数におけるサイドリンクダイレクトディスカバリーアナウンスメントのモニタリングに関する設定情報を、周波数で報知されるシステム情報を取得することによって取得することを試みる。
2017026414.tif 000002
【特許請求の範囲】
【請求項１】
端末装置であって、
受信部は、サイドリンクダイレクトディスカバリーに関する第１の設定を含むＲＲＣ接続再設定メッセージを受信し、
前記第１の設定に周波数情報が含まれる場合、
既定の時間を計時するタイマーを用いて、前記タイマーの計時中に、前記周波数情報で示される周波数におけるサイドリンクダイレクトディスカバリーアナウンスメントのモニタリングに関する設定情報を、前記周波数で報知されるシステム情報を取得することによって取得することを試みる端末装置。
【請求項２】
端末装置と通信する基地局装置であって、
送信部は、サイドリンクダイレクトディスカバリーに関する第１の設定に周波数情報を含めて、前記第１の設定を含むＲＲＣ接続再設定メッセージを送信し、
前記端末装置に、既定の時間を計時するタイマーを用いて、前記タイマーの計時中に、前記周波数情報で示される周波数におけるサイドリンクダイレクトディスカバリーアナウンスメントのモニタリングに関する設定情報を、前記周波数で報知されるシステム情報から取得させる基地局装置。
【請求項３】
端末装置と基地局装置が通信する通信システムであって、
前記基地局装置は、サイドリンクダイレクトディスカバリーに関する第１の設定を含むＲＲＣ接続再設定メッセージを送信し、
前記端末装置は、前記第１の設定を含むＲＲＣ接続再設定メッセージを受信し、前記第１の設定に周波数情報が含まれる場合、既定の時間を計時するタイマーを用いて、前記タイマーの計時中に、前記周波数情報で示される周波数におけるサイドリンクダイレクトディスカバリーアナウンスメントのモニタリングに関する設定情報を、前記周波数で報知されるシステム情報を取得することによって取得することを試みる通信システム。
【請求項４】
端末装置に適用される測定方法であって、
受信部が、サイドリンクダイレクトディスカバリーに関する第１の設定を含むＲＲＣ接続再設定メッセージを受信するステップと、
前記第１の設定に周波数情報が含まれる場合、
既定の時間を計時するタイマーを用いて、前記タイマーの計時中に、前記周波数情報で示される周波数におけるサイドリンクダイレクトディスカバリーアナウンスメントのモニタリングに関する設定情報を、前記周波数で報知されるシステム情報を取得することによって取得することを試みるステップとを少なくとも含む測定方法。
【請求項５】
端末装置に実装される集積回路であって、
受信部は、サイドリンクダイレクトディスカバリーに関する第１の設定を含むＲＲＣ接続再設定メッセージを受信し、
前記第１の設定に周波数情報が含まれる場合、
既定の時間を計時するタイマーを用いて、前記タイマーの計時中に、前記周波数情報で示される周波数におけるサイドリンクダイレクトディスカバリーアナウンスメントのモニタリングに関する設定情報を、前記周波数で報知されるシステム情報を取得することによって取得することを試みる機能を前記端末装置に発揮させる集積回路。
【発明の詳細な説明】
【技術分野】
【０００１】
本発明の実施形態は、サイドリンクダイレクトディスカバリーを行う端末装置、基地局装置、通信システム、測定方法および集積回路の技術に関する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）の標準化が行なわれた。ＥＵＴＲＡは、ＬＴＥ（Ｌｏｎｇ  Ｔｅｒｍ  Ｅｖｏｌｕｔｉｏｎ）とも称する場合がある。【０００３】
また、３ＧＰＰでは、より高速なデータ伝送を実現し、ＥＵＴＲＡに対して上位互換性を持つＡｄｖａｎｃｅｄ  ＥＵＴＲＡ（ＬＴＥ−Ａとも称する）が検討されている。【０００４】
Ａｄｖａｎｃｅｄ  ＥＵＴＲＡでは、端末装置間の直接通信（Ｄｅｖｉｃｅ  ｔｏ  Ｄｅｖｉｃｅ：Ｄ２Ｄ）の導入が検討されている。Ｄ２Ｄにおいては、近接した端末装置間のサービス（Ｐｒｏｘｉｍｉｔｙ  ｂａｓｅｄ  Ｓｅｒｖｉｃｅｓ：ＰｒｏＳｅ）として、端末装置同士が近くに位置するか否かを確認（発見）するための仕組み（ＰｒｏＳｅ  Ｄｉｄｃｏｖｅｒｙ、Ｄ２Ｄ  Ｄｉｓｃｏｖｅｒｙ、Ｓｉｄｅｌｉｎｋ  Ｄｉｒｅｃｔ  Ｄｉｓｃｏｖｅｒｙ（サイドリンクダイレクトディスカバリー）とも称する）や、端末装置同士が基地局装置を介さずにデータ通信を行うための仕組み（ＰｒｏＳｅ  Ｃｏｍｍｕｎｉｃａｔｉｏｎ、ＰｒｏＳｅ  Ｄｉｒｅｃｔ  Ｃｏｍｍｕｎｉｃａｔｉｏｎ、Ｄ２Ｄ  Ｃｏｍｍｕｎｉｃａｔｉｏｎ、Ｄ２Ｄ  Ｄｉｒｅｃｔ  Ｃｏｍｍｕｎｉｃａｔｉｏｎ、Ｓｉｄｅｌｉｎｋ  Ｄｉｒｅｃｔ  Ｃｏｍｍｕｎｉｃａｔｉｏｎ（サイドリンクダイレクトコミュニケーション）とも称する）などが仕様化され（非特許文献１）、さらなる機能の拡張が検討されている。【０００５】
例えば、サイドリンクダイレクトディスカバリーの送信（サイドリンクダイレクトディスカバリーアナウンスメント）や受信（サイドリンクダイレクトディスカバリーアナウンスメントモニタリング）をネットワークのカバレッジの外や別周波数、あるいは他の公衆携帯電話網（Ｐｕｂｌｉｃ  Ｌａｎｄ  Ｍｏｂｉｌｅ  Ｎｅｔｗｏｒｋ：ＰＬＭＮ）であっても行えるようにする仕組みや、ネットワークのカバレッジ内の端末装置とのＤ２Ｄによる通信を介して、ネットワークのカバレッジ端やカバレッジ外の端末装置がネットワークに接続できるようにする仕組みなどが検討されている（非特許文献２、３）。
【先行技術文献】
【非特許文献】
【０００６】
【非特許文献１】３ＧＰＰ  ＴＳ  ３６．３００  Ｖ１２．６．０（２０１５−７）ｈｔｔｐ：／／ｗｗｗ．３ｇｐｐ．ｏｒｇ／ＤｙｎａＲｅｐｏｒｔ／３６３００．ｈｔｍ
【非特許文献２】ＲＰ−１５０４４１，Ｑｕａｌｃｏｍｍ，Ｒｅｖｉｓｅｄ  ＷＩ：  Ｅｎｈａｎｃｅｄ  ＬＴＥ  Ｄｅｖｉｃｅ  ｔｏ  Ｄｅｖｉｃｅ  Ｐｒｏｘｉｍｉｔy  Ｓｅｒｖｉｃｅｓ  ｈｔｔｐ：／／ｗｗｗ．３ｇｐｐ．ｏｒｇ／ｆｔｐ／ｔｓｇ＿ｒａｎ／ＴＳＧ＿ＲＡＮ／ＴＳＧＲ＿６７／Ｄｏｃｓ／ＲＰ―１５０４４１．ｚｉｐ
【非特許文献３】Ｒ２−１５２６８２，ＩｎｔｅｒＤｉｇｉｔａｌ，Ｏｎ  ＰｒｏＳｅ  Ｄｉｓｃｏｖｅｒｙ  ｆｏｒ  ｉｎｔｅｒ−ｃａｒｒｉｅｒ  ａｎｄ  ｉｎｔｅｒ−ＰＬＭＮ  ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿９０／Ｄｏｃｓ／Ｒ２−１５２６８２．ｚｉｐ
【非特許文献４】３ＧＰＰ  ＴＳ  ３６．３３１  Ｖ１２．６．０（２０１５−７）ｈｔｔｐ：／／ｗｗｗ．３ｇｐｐ．ｏｒｇ／ＤｙｎａＲｅｐｏｒｔ／３６３３１．ｈｔｍ
【発明の概要】
【発明が解決しようとする課題】
【０００７】
非特許文献３では、端末装置が、他の周波数や公衆携帯電話網においてサイドリンクダイレクトディスカバリーの送受信を行うために通常の通信を中断する期間（ギャップ）が必要であることや、ギャップを生成するために基地局装置にサイドリンクダイレクトディスカバリーのリソースを通知することなどが記述されている。しかしながら、具体的なサイドリンクダイレクトディスカバリーのリソースを取得する方法や通知する方法については開示も示唆もされていない。【０００８】
本発明の実施形態は、上述の課題を鑑みてなされたものであり、効率的にサイドリンクダイレクトディスカバリーを行うことが可能な端末装置、基地局装置、通信システム、測定方法および集積回路に関する技術を提供することによって、上記の課題を解決することを目的とする。
【課題を解決するための手段】
【０００９】
上記の目的を達成するために以下のような手段を講じた。すなわち、本発明の実施形態における端末装置は、端末装置であって、受信部は、サイドリンクダイレクトディスカバリーに関する第１の設定を含むＲＲＣ接続再設定メッセージを受信し、前記第１の設定に周波数情報が含まれる場合、既定の時間を計時するタイマーを用いて、前記タイマーの計時中に、前記周波数情報で示される周波数におけるサイドリンクダイレクトディスカバリーアナウンスメントのモニタリングに関する設定情報を、前記周波数で報知されるシステム情報を取得することによって取得することを試みる。【００１０】
また、本発明の実施形態における基地局装置は、端末装置と通信する基地局装置であって、送信部は、サイドリンクダイレクトディスカバリーに関する第１の設定に周波数情報を含めて、前記第１の設定を含むＲＲＣ接続再設定メッセージを送信し、前記端末装置に、既定の時間を計時するタイマーを用いて、前記タイマーの計時中に、前記周波数情報で示される周波数におけるサイドリンクダイレクトディスカバリーアナウンスメントのモニタリングに関する設定情報を、前記周波数で報知されるシステム情報から取得させる。【００１１】
また、本発明の実施形態における通信システムは、端末装置と基地局装置が通信する通信システムであって、前記基地局装置は、サイドリンクダイレクトディスカバリーに関する第１の設定を含むＲＲＣ接続再設定メッセージを送信し、前記端末装置は、前記第１の設定を含むＲＲＣ接続再設定メッセージを受信し、前記第１の設定に周波数情報が含まれる場合、既定の時間を計時するタイマーを用いて、前記タイマーの計時中に、前記周波数情報で示される周波数におけるサイドリンクダイレクトディスカバリーアナウンスメントのモニタリングに関する設定情報を、前記周波数で報知されるシステム情報を取得することによって取得することを試みる。【００１２】
また、本発明の実施形態における端末装置の測定方法は、端末装置に適用される測定方法であって、受信部が、サイドリンクダイレクトディスカバリーに関する第１の設定を含むＲＲＣ接続再設定メッセージを受信するステップと、前記第１の設定に周波数情報が含まれる場合、既定の時間を計時するタイマーを用いて、前記タイマーの計時中に、前記周波数情報で示される周波数におけるサイドリンクダイレクトディスカバリーアナウンスメントのモニタリングに関する設定情報を、前記周波数で報知されるシステム情報を取得することによって取得することを試みるステップとを少なくとも含む。【００１３】
また、本発明の実施形態における端末装置に搭載される集積回路は、端末装置に実装される集積回路であって、受信部は、サイドリンクダイレクトディスカバリーに関する第１の設定を含むＲＲＣ接続再設定メッセージを受信し、前記第１の設定に周波数情報が含まれる場合、既定の時間を計時するタイマーを用いて、前記タイマーの計時中に、前記周波数情報で示される周波数におけるサイドリンクダイレクトディスカバリーアナウンスメントのモニタリングに関する設定情報を、前記周波数で報知されるシステム情報を取得することによって取得することを試みる機能を前記端末装置に発揮させる。
【発明の効果】
【００１４】
以上、説明したように、本発明の実施形態によれば、効率的にサイドリンクダイレクトディスカバリーを行うことが可能な端末装置、基地局装置、通信システム、測定方法および集積回路に関する技術を提供することができる。
【図面の簡単な説明】
【００１５】
【図１】本発明の実施形態に係る端末装置の概略構成の一例を示すブロック図である。
【図２】本発明の実施形態に係る基地局装置の概略構成の一例を示すブロック図である。
【図３】本発明の実施形態に係るサイドリンクダイレクトディスカバリーアナウンスメントモニタリングを行うための手順の一例を示したものである。
【図４】本発明の実施形態に係るユーザ平面（ＵＰ（Ｕｓｅｒ−ｐｌａｎｅ、Ｕ−Ｐｌａｎｅ））プロトコルスタックを表す図である。
【図５】本発明の実施形態に係る制御平面（ＣＰ（Ｃｏｎｔｒｏｌ−ｐｌａｎｅ、Ｃ−Ｐｌａｎｅ））プロトコルスタックを表す図である。
【図６】従来のＲＲＭ測定設定管理手順の一例を示したシーケンスチャートである。
【図７】従来のＲＲＭ測定設定の一例を示した図である。
【発明を実施するための形態】
【００１６】
本明細書では、効率的にサイドリンクダイレクトディスカバリーを行うことが可能な端末装置、基地局装置、通信システム、測定方法および集積回路に関する技術という点において各実施形態を開示するが、各実施形態に対して適用可能な通信方式は、ＥＵＴＲＡまたはＡｄｖａｎｃｅｄ  ＥＵＴＲＡのようにＥＵＴＲＡと互換性のある通信方式に限定されるものではない。
【００１７】
例えば、本明細書で述べられる技術は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、およびその他のアクセス方式等を用いた、種々の通信システムにおいて使用され得る。また、本明細書において、システムとネットワークは同義的に使用され得る。
【００１８】
本発明の各実施形態に関わる技術について以下に簡単に説明する。
【００１９】
[チャネル／シグナル]
ＬＴＥ（ＥＵＴＲＡ）のチャネルは、論理チャネル、トランスポートチャネル、物理チャネルから構成されている。チャネルとは信号の送受信に用いられる媒体を意味し、論理チャネルは、媒体アクセス制御（ＭＡＣ：Ｍｅｄｉｕｍ  Ａｃｃｅｓｓ  Ｃｏｎｔｒｏｌ）層で送受信されるデータ送信サービスの種類を定義する。トランスポートチャネルは、無線インターフェースで送信されるデータの特性と、そのデータがどのように送信されるかについて定義する。
【００２０】
物理チャネルは、トランスポートチャネルによって物理層に転送されたデータを運ぶ物理的な媒体を意味する。本発明の一態様において、物理チャネルは、信号と同義的に使用され得る。なお、物理チャネルは、ＥＵＴＲＡ（ＬＴＥ、ＬＴＥ−Ａ）を発展させた通信システムにおいて、新規チャネルの追加、または、その構造（構成）やフォーマット形式が変更または追加される可能性があるが、そのような場合でも本発明の各実施形態の説明には影響せず、本発明の各実施形態で使用されるチャネルとして、それらのチャネルを使用してもよい。
【００２１】
ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００２２】
ＥＵＴＲＡにおける下りリンクについて説明する。下りリンクの論理チャネルには、報知制御チャネルＢＣＣＨ（Ｂｒｏａｄｃａｓｔ  Ｃｏｎｔｒｏｌ  Ｃｈａｎｎｅｌ）、ページング制御チャネルＰＣＣＨ（Ｐａｇｉｎｇ  Ｃｏｎｔｒｏｌ  Ｃｈａｎｎｅｌ）、共通制御チャネルＣＣＣＨ（Ｃｏｍｍｏｎ  Ｃｏｎｔｒｏｌ  Ｃｈａｎｎｅｌ）、専用制御チャネルＤＣＣＨ（Ｄｅｄｉｃａｔｅｄ  Ｃｏｎｔｒｏｌ  Ｃｈａｎｎｅｌ）、専用トラフィックチャネルＤＴＣＨ（Ｄｅｄｉｃａｔｅｄ  Ｔｒａｆｆｉｃ  Ｃｈａｎｎｅｌ）が含まれる。
【００２３】
報知制御チャネルＢＣＣＨは、システム情報を報知（ｂｒｏａｄｃａｓｔ）するために使用される論理チャネルである。ページング制御チャネルＰＣＣＨは、ページング情報を送信するために使用される論理チャネルであり、ネットワークが端末装置を呼び出すときや、システム情報の更新を通知する場合に使用される。共通制御チャネルＣＣＣＨは、端末装置とネットワーク間で制御情報を送信するために使用される論理チャネルであり、下りリンクにおいて、端末装置の状態がネットワークと無線リソース制御（ＲＲＣ：Ｒａｄｉｏ  Ｒｅｓｏｕｒｃｅ  Ｃｏｎｔｒｏｌ）接続されている状態（ＲＲＣ接続状態、ＲＲＣ＿ＣＯＮＮＥＣＴＥＤ）に移行していない場合に、基地局装置によって使用される。
【００２４】
専用制御チャネルＤＣＣＨは、１対１（ｐｏｉｎｔ−ｔｏ−ｐｏｉｎｔ）の双方向チャネルであり、端末装置とネットワーク間で個別（ｄｅｄｉｃａｔｅｄ）の制御情報を送信するために使用される論理チャネルである。専用制御チャネルＤＣＣＨは、ＲＲＣ接続状態の端末装置と基地局装置との間において使用されうる。専用トラフィックチャネルＤＴＣＨは、１対１の双方向チャネルであり、ある一つの端末装置専用のチャネルであって、ユーザ情報（ユニキャストデータ）の転送（送信）のために使用される論理チャネルである。
【００２５】
下りリンクのトランスポートチャネルには、報知チャネルＢＣＨ（Ｂｒｏａｄｃａｓｔ  Ｃｈａｎｎｅｌ）、ページングチャネルＰＣＨ（Ｐａｇｉｎｇ  Ｃｈａｎｎｅｌ）、下りリンク共用チャネルＤＬ−ＳＣＨ（Ｄｏｗｎｌｉｎｋ  Ｓｈａｒｅｄ  Ｃｈａｎｎｅｌ）が含まれる。
【００２６】
報知チャネルＢＣＨは、固定的かつ事前に定義された形式（Ｔｒａｎｓｐｏｒｔ  ｆｏｒｍａｔ）によって、セル全体に報知される。下りリンク共用チャネルＤＬ−ＳＣＨは、ＨＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）、動的適応変調（ｌｉｎｋ  ａｄａｐｔａｔｉｏｎ）制御、動的または準静的なリソース割り当て、間欠受信（ＤＲＸ：Ｄｉｓｃｏｎｔｉｎｕｏｕｓ  Ｒｅｃｅｐｔｉｏｎ）がサポートされる。また、ページングチャネルＰＣＨは、セル全体に報知される。
【００２７】
ＥＵＴＲＡの下りリンクの物理チャネルと物理シグナルについて説明する。
【００２８】
同期シグナル（Ｓｙｎｃｈｒｏｎｉｚａｔｉｏｎ  Ｓｉｇｎａｌｓ）は、３種類のプライマリ同期シグナル（ＰＳＳ）と、周波数領域で互い違いに配置される３１種類の符号から構成されるセカンダリ同期シグナル（ＳＳＳ）とで構成され、プライマリ同期シグナルとセカンダリ同期シグナルの信号の組み合わせによって、基地局装置を識別する５０４通りのセル識別子（物理セルＩＤ（Ｐｈｙｓｉｃａｌ  Ｃｅｌｌ  Ｉｄｅｎｔｉｔｙ：ＰＣＩ））と、無線同期のためのフレームタイミングが示される。端末装置は、セルサーチによって受信した同期シグナルの物理セルＩＤを特定する。
【００２９】
下りリンクリファレンスシグナル（下りリンク参照信号）は、その用途によって複数のタイプに分類される。例えば、セル固有ＲＳ（ＣＲＳ：Ｃｅｌｌ−ｓｐｅｃｉｆｉｃ  ｒｅｆｅｒｅｎｃｅ  ｓｉｇｎａｌｓ）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定することができる。また、端末装置は、セル固有ＲＳと一緒に送信される物理下りリンク制御チャネル、または物理下りリンク共用チャネルの復調のための参照用の信号としてもセル固有ＲＳを使用することができる。
【００３０】
セル固有ＲＳに使用される系列は、セル毎に識別可能な系列が用いられる。セル固有ＲＳは、基地局装置より全ての下りリンクサブフレームで送信されてもよいし、基地局装置によって指定された下りリンクサブフレームでのみ送信されてもよい。また、端末装置は、セル固有ＲＳを全ての下りリンクサブフレームで受信してもよいし、基地局装置によって指定された下りリンクサブフレームでのみ受信してもよい。
【００３１】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ：ＣＳＩ−ＲＳ、ＣＳＩ参照信号）と称する。また、ＣＳＩ参照信号は、実際には信号の送信されない、または、ゼロパワーで送信されてもよい。一方、実際に信号が送信されるＣＳＩ−ＲＳは、非ゼロパワーＣＳＩ−ＲＳ（ＮＺＰ  ＣＳＩ−ＲＳ：Ｎｏｎ  Ｚｅｒｏ  Ｐｏｗｅｒ  Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ）と称してもよい。また、干渉成分を測定するために用いられる下りリンクの無線リソースの事をチャネル状態情報干渉測定リソース（ＣＳＩ−ＩＭＲ：Ｃｈａｎｎｅｌ  Ｓｔａｔｅ  Ｉｎｆｏｒｍａｔｉｏｎ−Ｉｎｔｅｒｆｅｒｅｎｃｅ Ｍｅａｓｕｒｅｍｅｎｔ  Ｒｅｓｏｕｒｃｅ）あるいはＣＳＩ−ＩＭリソースと称してもよい。
【００３２】
また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）と称され、物理下りリンク制御チャネル、拡張物理下りリンク制御チャネル、または物理下りリンク共用チャネルを復調するときのチャネルの伝搬路補償処理のために参照される。
【００３３】
物理報知チャネル（ＰＢＣＨ：Ｐｈｙｓｉｃａｌ  Ｂｒｏａｄｃａｓｔ  Ｃｈａｎｎｅｌ）は、セル内の端末装置で共通に用いられるマスターインフォメーションブロック（ＭＩＢ：Ｍａｓｔｅｒ  ｉｎｆｏｒｍａｔｉｏｎ  ｂｌｏｃｋ）を通知（設定）する目的で送信される。基地局装置は、物理報知チャネルによってＭＩＢを含むマスターインフォメーションブロックメッセージを通知（送信）する。マスターインフォメーションブロックメッセージで端末装置に通知（設定）される情報、すなわちＭＩＢで通知される情報は、下りリンク周波数帯域幅、システムフレームナンバー、およびＨｙｂｒｉｄ  ＡＲＱに関する物理チャネル（ＰＨＩＣＨ）の設定情報（ｃｏｎｆｉｇｕｒａｔｉｏｎ）などである。
【００３４】
基地局装置は、サブフレーム位置と周期が静的に定まる（ｐｒｅ−ｄｅｆｉｎｅｄ）システムインフォメーションブロック  タイプ１（ＳＩＢ１：Ｓｙｓｔｅｍ  ｉｎｆｏｒｍａｔｉｏｎ  ｂｌｏｃｋ  Ｔｙｐｅ１）メッセージと、システムインフォメーションブロック  タイプ１で指定されるシステムインフォメーションウィンドウ（ＳＩ−ｗｉｎｄｏｗ）内で動的にスケジューリングされるその他のタイプのシステムインフォメーションメッセージ（例えば、システムインフォメーションブロック  タイプ２〜タイプｎ（ｎは自然数））と、を用いてマスターインフォメーションブロック以外のセル共通情報を端末装置に送信する。
【００３５】
ここで、マスターインフォメーションブロックメッセージ、システムインフォメーションブロック  タイプ１メッセージ、システムインフォメーションメッセージは、それぞれレイヤ３メッセージ（ＲＲＣメッセージ）である。なお、本明細書において、システム情報（報知情報）とは、これらのＲＲＣメッセージのことを、または、マスターインフォメーションブロックと各システムインフォメーションブロックで通知される情報（情報要素）のことを意味している場合がある。
【００３６】
システムインフォメーションメッセージは、物理下りリンク制御チャネルで示される無線リソースにおいて物理下りリンク共用チャネルを用いて通知され、その用途に応じて分類されたシステム情報（システムインフォメーションブロック  タイプ２〜タイプｎ（ＳＩＢ２〜ＳＩＢｎ（ｎは自然数）））の一つを対応するシステムインフォメーションウィンドウ内で送信する。
【００３７】
システム情報として、セル個別の識別子を示すセルグローバル識別子（ＣＧＩ：Ｃｅｌｌ  Ｇｌｏｂａｌ  Ｉｄｅｎｔｉｆｉｅｒ）、ページングによる待ち受けエリアを管理するトラッキングエリア識別子（ＴＡＩ：Ｔｒａｃｋｉｎｇ  Ａｒｅａ  Ｉｄｅｎｔｉｆｉｅｒ）、ランダムアクセス設定（共通ランダムアクセス設定）情報、タイミング調整情報、セル毎の共通無線リソース設定情報、同周波数（異周波数、異ＲＡＴ）の周辺セルリスト情報（Ｎｅｉｇｈｂｏｒｉｎｇ  ｃｅｌｌ  ｌｉｓｔ）、上りリンクアクセス制限情報、サイドリンクダイレクトディスカバリーのリソース情報、サイドリンクダイレクトコミュニケーションのリソース情報などが通知される。
【００３８】
物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する制御情報などを通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００３９】
端末装置は、レイヤ２メッセージ（ＭＡＣ−ＣＥ）およびレイヤ３メッセージ（ページング、システムインフォメーションなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメントとも称する）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００４０】
物理下りリンク共用チャネル（ＰＤＳＣＨ：Ｐｈｙｓｉｃａｌ  Ｄｏｗｎｌｉｎｋ  Ｓｈａｒｅｄ  Ｃｈａｎｎｅｌ）は、下りリンクデータの他、ページングやシステムインフォメーションなどのレイヤ３メッセージを端末装置に通知するためにも使用される。物理下りリンク共用チャネルの無線リソース割り当て情報は、物理下りリンク制御チャネルで示される（通知される）。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重される。
【００４１】
報知チャネルＢＣＨは、物理報知チャネルＰＢＣＨにマッピングされる。ページングチャネルＰＣＨおよび下りリンク共用チャネルＤＬ−ＳＣＨは、物理下りリンク共用チャネルＰＤＳＣＨにマッピングされる。物理下りリンク制御チャネルＰＤＣＣＨは、物理チャネル単独で使用される。
【００４２】
また、下りリンクにおいて、ページング制御チャネルＰＣＣＨは、ページングチャネルＰＣＨにマッピングされる。報知制御チャネルＢＣＣＨは、報知チャネルＢＣＨと下りリンク共用チャネルＤＬ−ＳＣＨにマッピングされる。共通制御チャネルＣＣＣＨ、専用制御チャネルＤＣＣＨ、専用トラフィックチャネルＤＴＣＨは、下りリンク共用チャネルＤＬ−ＳＣＨにマッピングされる。
【００４３】
次に、ＥＵＴＲＡにおける上りリンクについて説明する。上りリンクの論理チャネルには、共通制御チャネルＣＣＣＨ（Ｃｏｍｍｏｎ  Ｃｏｎｔｒｏｌ  Ｃｈａｎｎｅｌ）、専用制御チャネルＤＣＣＨ（Ｄｅｄｉｃａｔｅｄ  Ｃｏｎｔｒｏｌ  Ｃｈａｎｎｅｌ）、専用トラフィックチャネルＤＴＣＨ（Ｄｅｄｉｃａｔｅｄ  Ｔｒａｆｆｉｃ  Ｃｈａｎｎｅｌ）が含まれる。
【００４４】
共通制御チャネルＣＣＣＨは、端末装置とネットワーク間の制御情報を送信するために使用される論理チャネルであり、上りリンクにおいて、端末装置の状態がネットワークと無線リソース制御（ＲＲＣ：Ｒａｄｉｏ  Ｒｅｓｏｕｒｃｅ  Ｃｏｎｔｒｏｌ）接続されている状態（ＲＲＣ接続状態、ＲＲＣ＿ＣＯＮＮＥＣＴＥＤ）に移行していない場合（すなわち、ＲＲＣアイドル状態、ＲＲＣ＿ＩＤＬＥ）に、端末装置によって使用される。
【００４５】
専用制御チャネルＤＣＣＨは、１対１（ｐｏｉｎｔ−ｔｏ−ｐｏｉｎｔ）の双方向チャネルであり、端末装置とネットワーク間で個別の制御情報を送信するために使用される論理チャネルである。専用制御チャネルＤＣＣＨは、ＲＲＣ接続状態の端末装置と基地局装置との間において使用されうる。専用トラフィックチャネルＤＴＣＨは、１対１の双方向チャネルであり、１つの端末装置専用のチャネルであって、ユーザ情報（ユニキャストデータ）の転送のために使用される論理チャネルである。
【００４６】
上りリンクのトランスポートチャネルには、上りリンク共用チャネルＵＬ−ＳＣＨ（Ｕｐｌｉｎｋ  Ｓｈａｒｅｄ  Ｃｈａｎｎｅｌ）とランダムアクセスチャネルＲＡＣＨ（Ｒａｎｄｏｍ  Ａｃｃｅｓｓ  Ｃｈａｎｎｅｌ）が含まれる。
【００４７】
上りリンク共用チャネルＵＬ−ＳＣＨでは、ＨＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）、動的適応変調制御、動的または準静的なリソース割り当て、間欠送信（ＤＴＸ：Ｄｉｓｃｏｎｔｉｎｕｏｕｓ  Ｔｒａｎｓｍｉｓｓｉｏｎ）がサポートされる。ランダムアクセスチャネルＲＡＣＨでは、限定的（ｌｉｍｉｔｅｄ）な制御情報が送信される。
【００４８】
ＥＵＴＲＡの上りリンクの物理チャネルと物理シグナルについて説明する。
【００４９】
物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）は、物理下りリンク共用チャネルで送信された下りリンクデータの受信確認応答（ＡＣＫ／ＮＡＣＫ：Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ：Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ：Ｓｃｈｅｄｕｌｉｎｇ  Ｒｅｑｕｅｓｔ））を行なうために使用される。
【００５０】
物理上りリンク共用チャネル（ＰＵＳＣＨ：Ｐｈｙｓｉｃａｌ  Ｕｐｌｉｎｋ  Ｓｈａｒｅｄ  Ｃｈａｎｎｅｌ）は、主に上りリンクデータと上りリンク制御データを送信し、ＣＳＩやＡＣＫ／ＮＡＣＫなどの制御データを含めることも可能である。また、上りリンクデータの他、上りリンク制御情報をレイヤ２メッセージおよびレイヤ３メッセージとして端末装置から基地局装置に通知するためにも使用される。また、下りリンクと同様に物理上りリンク共用チャネルの無線リソース割り当て情報は、物理下りリンク制御チャネルで示される。
【００５１】
上りリンクリファレンスシグナル（上りリンク参照信号：Ｕｐｌｉｎｋ  Ｒｅｆｅｒｅｎｃｅ  Ｓｉｇｎａｌ（上りリンクパイロット信号、上りリンクパイロットチャネルとも呼称する））は、基地局装置が、物理上りリンク制御チャネルＰＵＣＣＨおよび／または物理上りリンク共用チャネルＰＵＳＣＨを復調するために使用する復調参照信号（ＤＭＲＳ：Ｄｅｍｏｄｕｌａｔｉｏｎ  Ｒｅｆｅｒｅｎｃｅ  Ｓｉｇｎａｌ）と、基地局装置が、主に、上りリンクのチャネル状態を推定するために使用するサウンディング参照信号（ＳＲＳ：Ｓｏｕｎｄｉｎｇ  Ｒｅｆｅｒｅｎｃｅ  Ｓｉｇｎａｌ）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００５２】
物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００５３】
端末装置は、物理上りリンク制御チャネル未設定時の上りリンクの無線リソース要求のため、または、上りリンク送信タイミングを基地局装置の受信タイミングウィンドウに合わせるために必要なタイミング調整情報（タイミングアドバンス（Ｔｉｍｉｎｇ  Ａｄｖａｎｃｅ：ＴＡ）とも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００５４】
上りリンクにおいて、共通制御チャネルＣＣＣＨ、専用制御チャネルＤＣＣＨ、専用トラフィックチャネルＤＴＣＨは、上りリンク共用チャネルＵＬ−ＳＣＨにマッピングされる。
【００５５】
上りリンク共用チャネルＵＬ−ＳＣＨは、物理上りリンク共用チャネルＰＵＳＣＨにマッピングされる。ランダムアクセスチャネルＲＡＣＨは、物理ランダムアクセスチャネルＰＲＡＣＨにマッピングされる。物理上りリンク制御チャネルＰＵＣＣＨは、物理チャネル単独で使用される。
【００５６】
次に、ＥＵＴＲＡにおいて、端末間の通信（ダイレクトコミュニケーションやダイレクトディスカバリーなど）で用いられるサイドリンクについて説明する。サイドリンクの論理チャネルには、サイドリンク報知チャネルＳＢＣＣＨ（Ｓｉｄｅｌｉｎｋ  Ｂｒｏａｄｃａｓｔ  Ｃｏｎｔｒｏｌ  Ｃｈａｎｎｅｌ）、サイドリンクトラフィックチャネルＳＴＣＨ（Ｓｉｄｅｌｉｎｋ  Ｔｒａｆｆｉｃ  Ｃｈａｎｎｅｌ）が含まれる。
【００５７】
サイドリンク報知チャネルＳＢＣＣＨは、サイドリンクダイレクトコミュニケーションにおいて報知情報を運ぶために使用される論理チャネルである。サイドリンクトラフィックチャネルはサイドリンクダイレクトコミュニケーションにおいてユーザデータを運ぶためのチャネルである。
【００５８】
サイドリンクのトランスポートチャネルには、サイドリンク報知チャネルＳＬ−ＢＣＨ（Ｓｉｄｅｌｉｎｋ  Ｂｒｏａｄｃａｓｔ  Ｃｈａｎｎｅｌ）、サイドリンクディスカバリチャネルＳＬ−ＤＣＨ（Ｓｉｄｅｌｉｎｋ  Ｄｉｓｃｏｖｅｒｙ  Ｃｈａｎｎｅｌ）とサイドリンク共有チャネルＳＬ−ＳＣＨ（Ｓｉｄｅｌｉｎｋ  Ｓｈａｒｅｄ  Ｃｈａｎｎｅｌ）が含まれる。
【００５９】
サイドリンク報知チャネルＳＬ−ＢＣＨは、事前に定義された形式（ｐｒｅ−ｄｅｆｉｎｅｄ  ｔｒａｎｓｐｏｒｔ  ｆｏｒｍａｔ）によって端末装置から他の端末装置に対して報知される。サイドリンクディスカバリチャネルＳＬ−ＤＣＨは、固定的かつ事前に定義された形式（ｆｉｅｘｅｄ  ｓｉｚｅ，ｐｒｅ−ｄｅｆｉｎｅｄ  ｔｒａｎｓｐｏｒｔ  ｆｏｒｍａｔ）であり、基地局装置によるスケジューリングあるいは端末装置自身によるリソース選択によるリソース割り当て、ＨＡＲＱ合成（ＨＡＲＱ  ｃｏｍｂｉｎｉｎｇ）をサポートする。サイドリンク共有チャネルＳＬ−ＳＣＨは、基地局装置によるスケジューリングあるいは端末装置自身によるリソース選択によるリソース割り当て、ＨＡＲＱ合成（ＨＡＲＱ  ｃｏｍｂｉｎｉｎｇ）、動的適応変調（ｌｉｎｋ  ａｄａｐｔａｔｉｏｎ）制御をサポートする。
【００６０】
ＥＵＴＲＡのサイドリンクの物理チャネルと物理シグナルについて説明する。
【００６１】
物理サイドリンク報知チャネル（ＰＳＢＣＨ：Ｐｈｙｓｉｃａｌ  ｓｉｄｅｌｉｎｋ  ｂｒｏａｄｃａｓｔ  ｃｈａｎｎｅｌ）は、端末装置がシステムや同期に関する情報を報知するために使用される。
【００６２】
物理サイドリンクディスカバリチャネル（ＰＳＤＣＨ：Ｐｈｙｓｉｃａｌ  ｓｉｄｅｌｉｎｋ  ｄｉｓｃｏｖｅｒｙ  ｃｈａｎｎｅｌ）は、端末装置からのサイドリンクダイレクトディスカバリーのメッセージを運ぶために使用される。
【００６３】
物理サイドリンク制御チャネル（ＰＳＣＣＨ：Ｐｈｙｓｉｃａｌ  ｓｉｄｅｌｉｎｋ  ｃｏｎｔｒｏｌ  ｃｈａｎｎｅｌ）は、端末装置からのサイドリンクダイレクトコミュニケーションの制御情報を運ぶために使用される。
【００６４】
物理サイドリンク共用チャネル（ＰＳＳＣＨ：Ｐｈｙｓｉｃａｌ  ｓｉｄｅｌｉｎｋ  ｓｈａｒｅｄ  ｃｈａｎｎｅｌ）は、端末装置からのサイドリンクダイレクトコミュニケーションのデータを運ぶために使用される。
【００６５】
物理サイドリンク制御チャネルＰＳＣＣＨは、物理サイドリンク共用チャネルＰＳＳＣＨに使われるリソースや他の送信パラメータを通知するために使用される。
【００６６】
ＰＳＤＣＨ、ＰＳＣＣＨ、ＰＳＳＣＨの復調のための参照信号（サイドリンクリファレンスシグナル）は上りリンクリファレンスシグナルのＤＭＲＳと似た構造を持ち、各物理チャネルが配置されるスロットの特定のシンボルに配置される。
【００６７】
サイドリンク同期シグナル（ＳＬＳＳ：Ｓｉｄｅｌｉｎｋ  Ｓｙｎｃｈｒｏｎｉｚａｔｉｏｎ  Ｓｉｇｎａｌ）はネットワークのカバレッジ外の端末装置との同期をとるために使用される。サイドリンク同期シグナルは、プライマリサイドリンク同期シグナル（ＰＳＳＳ：Ｐｒｉｍａｒｙ  Ｓｉｄｅｌｉｎｋ  Ｓｙｎｃｈｒｏｎｉｚａｔｉｏｎ  Ｓｉｇｎａｌ）とセカンダリサイドリンク同期シグナル（ＳＳＳＳ：Ｓｅｃｏｎｄａｒｙ  Ｓｉｄｅｌｉｎｋ  Ｓｙｎｃｈｒｏｎｉｚａｔｉｏｎ  Ｓｉｇｎａｌ）の２つの同期シグナルで構成される。プライマリサイドリンク同期シグナルは２種類の系列をとることができ、セカンダリサイドリンク同期シグナルは１６８種類の系列をとることができ、セットで送信することで３３６通りの識別子（ＳＬＳＳＩＤ）を示すことができる。ＳＬＳＳＩＤは０から３３５までの値を持ち、０から１６７までのＳＬＳＳＩＤのサイドリンク同期シグナルは基地局装置の同期タイミングに基づいてサイドリンク同期シグナルが送信されている場合に使用され、１６８から３３５までのＳＬＳＳＩＤのサイドリンク同期シグナルは基地局装置の同期タイミングに基づいていない場合に使用される。
【００６８】
なお、それ以外の物理チャネルまたは物理シグナルは、本発明の各実施形態に関わらないため詳細な説明は省略する。
【００６９】
[無線ネットワーク]
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。
【００７０】
端末装置は、セルの中を通信エリアとみなして動作する。端末装置が、あるセルから別のセルへ移動するときは、非無線接続時（アイドル状態、ＲＲＣ＿ＩＤＬＥ状態とも称する）はセル再選択手順、無線接続時（コネクティッド状態、ＲＲＣ＿ＣＯＮＮＥＣＴＥＤ状態とも称する）はハンドオーバ手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００７１】
基地局装置は端末装置が通信可能なエリアであるセルを周波数毎に管理する。１つの基地局装置が複数のセルを管理していてもよい。
【００７２】
端末装置がある基地局装置と通信可能であるとき、その基地局装置のセルのうち、端末装置との通信に使用されるように設定されているセルは在圏セル（Ｓｅｒｖｉｎｇ  ｃｅｌｌ）であり、通信に使用されないその他のセルは周辺セル（Ｎｅｉｇｈｂｏｒｉｎｇ  ｃｅｌｌ）と称される。
【００７３】
[無線プロトコル構造]
図４は、ＥＵＴＲＡの無線ネットワーク（ＥＵＴＲＡＮ）の端末装置及び基地局装置のユーザデータを扱うユーザ平面（ＵＰ（Ｕｓｅｒ−ｐｌａｎｅ、Ｕ−Ｐｌａｎｅ））プロトコルスタックを表す図である。また、図５は、制御データを扱う制御平面（ＣＰ（Ｃｏｎｔｒｏｌ−ｐｌａｎｅ、Ｃ−Ｐｌａｎｅ））プロトコルスタックを表す図である。
【００７４】
図４および図５において、物理層（Ｐｈｙｓｉｃａｌ  ｌａｙｅｒ：ＰＨＹ層）は、物理チャネル（Ｐｈｙｓｉｃａｌ  Ｃｈａｎｎｅｌ）を利用して上位層に伝送サービスを提供する。ＰＨＹ層は、上位の媒体アクセス制御層（Ｍｅｄｉｕｍ  Ａｃｃｅｓｓ  Ｃｏｎｔｒｏｌ  ｌａｙｅｒ：ＭＡＣ層）とトランスポートチャネルで接続される。トランスポートチャネルを介して、ＭＡＣ層とＰＨＹ層とレイヤ（ｌａｙｅｒ：層）間でデータが移動する。端末装置と基地局装置のＰＨＹ層間において、物理チャネルを介してデータの送受信が行われる。
【００７５】
ＭＡＣ層は、多様な論理チャネルを多様なトランスポートチャネルにマッピングを行う。ＭＡＣ層は、上位の無線リンク制御層（Ｒａｄｉｏ  Ｌｉｎｋ  Ｃｏｎｔｒｏｌ  ｌａｙｅｒ：ＲＬＣ層）とは論理チャネルで接続される。論理チャネルは、伝送される情報の種類によって大きく分けられ、制御情報を伝送する制御チャネルとユーザ情報を伝送するトラフィックチャネルに分けられる。ＭＡＣ層は、間欠受送信（ＤＲＸ・ＤＴＸ）を行うためにＰＨＹ層の制御を行う機能、ランダムアクセス手順を実行する機能、送信電力の情報を通知する機能、ＨＡＲＱ制御を行う機能などを持つ。
【００７６】
ＲＬＣ層は、上位層から受信したデータを分割（Ｓｅｇｍｅｎｔａｔｉｏｎ）及び結合(Ｃｏｎｃａｔｅｎａｔｉｏｎ)し、下位層が適切にデータ送信できるようにデータサイズを調節する。また、ＲＬＣ層は、各データが要求するＱｏＳ（Ｑｕａｌｉｔｙ  ｏｆ  Ｓｅｒｖｉｃｅ）を保証するための機能も持つ。すなわち、ＲＬＣ層は、データの再送制御等の機能を持つ。
【００７７】
パケットデータコンバージェンスプロトコル層（Ｐａｃｋｅｔ  Ｄａｔａ  Ｃｏｎｖｅｒｇｅｎｃｅ  Ｐｒｏｔｏｃｏｌ  ｌａｙｅｒ：ＰＤＣＰ層）は、ユーザデータであるＩＰパケットを無線区間で効率的に伝送するために、不要な制御情報の圧縮を行うヘッダ圧縮機能を持つ。また、ＰＤＣＰ層は、データの暗号化の機能も持つ。
【００７８】
さらに、制御平面プロトコルスタックには、無線リソース制御層（Ｒａｄｉｏ  Ｒｅｓｏｕｒｃｅ  Ｃｏｎｔｒｏｌ  ｌａｙｅｒ：ＲＲＣ層）がある。ＲＲＣ層は、無線ベアラ（Ｒａｄｉｏ  Ｂｅａｒｅｒ：ＲＢ）の設定・再設定を行い、論理チャネル、トランスポートチャネル及び物理チャネルの制御を行う。ＲＢは、シグナリグ無線ベアラ（Ｓｉｇｎａｌｉｎｇ  Ｒａｄｉｏ  Ｂｅａｒｅｒ：ＳＲＢ）とデータ無線ベアラ（Ｄａｔａ  Ｒａｄｉｏ  Ｂｅａｒｅｒ：ＤＲＢ）とに分けられ、ＳＲＢは、制御情報であるＲＲＣメッセージを送信する経路として利用される。ＤＲＢは、ユーザデータを送信する経路として利用される。基地局装置と端末装置のＲＲＣ層間で各ＲＢの設定が行われる。
【００７９】
尚、ＰＨＹ層は一般的に知られる開放型システム間相互接続（Ｏｐｅｎ  Ｓｙｓｔｅｍｓ  Ｉｎｔｅｒｃｏｎｎｅｃｔｉｏｎ：ＯＳＩ）モデルの階層構造の中で第一層の物理層に対応し、ＭＡＣ層、ＲＬＣ層及びＰＤＣＰ層はＯＳＩモデルの第二層であるデータリンク層に対応し、ＲＲＣ層はＯＳＩモデルの第三層であるネットワーク層に対応する。
【００８０】
また、ネットワークと端末装置との間で用いられるシグナリングプロトコルは、アクセス層（Ａｃｃｅｓｓ  Ｓｔｒａｔｕｍ：ＡＳ）プロトコルと非アクセス層（Ｎｏｎ−Ａｃｃｅｓｓ  Ｓｔｒａｔｕｍ：ＮＡＳ）プロトコルとに分割される。例えば、ＲＲＣ層以下のプロトコルは、端末装置と基地局装置との間で用いられるアクセス層プロトコルである。また、端末装置の接続管理（Ｃｏｎｎｅｃｔｉｏｎ  Ｍａｎａｇｅｍｅｎｔ：ＣＭ）やモビリティ管理（Ｍｏｂｉｌｉｔｙ  Ｍａｎａｇｅｍｅｎｔ：ＭＭ）などのプロトコルは非アクセス層プロトコルであり、端末装置とコアネットワーク（ＣＮ）との間で用いられる。例えば図５に示すように、端末装置とモバイル管理エンティティ（Ｍｏｂｉｌｉｔｙ  Ｍａｎａｇｅｍｅｎｔ  Ｅｎｔｉｔｙ：ＭＭＥ）との間で、非アクセス層プロトコルを用いた通信が、基地局装置を介して透過的に行われる。
【００８１】
[ランダムアクセス手順]
ランダムアクセス手順について以下に説明する。ランダムアクセス手順には、競合ベースランダムアクセス手順（Ｃｏｎｔｅｎｔｉｏｎ  ｂａｓｅｄ  Ｒａｎｄｏｍ  Ａｃｃｅｓｓ  ｐｒｏｃｅｄｕｒｅ）と非競合ベースランダムアクセス手順（Ｎｏｎーｃｏｎｔｅｎｔｉｏｎ  ｂａｓｅｄ  Ｒａｎｄｏｍ  Ａｃｃｅｓｓ  ｐｒｏｃｅｄｕｒｅ）の２つのアクセス手順がある。
【００８２】
競合ベースランダムアクセス手順は、移動局装置間で衝突する可能性のあるランダムアクセス手順であり、基地局装置と接続（通信）していない状態からの初期アクセス時や基地局装置と接続中であるが、上りリンク同期が外れている状態で移動局装置に上りリンクデータ送信が発生した場合のスケジューリングリクエストなどに行われる。
【００８３】
非競合ベースランダムアクセス手順は、移動局装置間で衝突が発生しないランダムアクセス手順であり、基地局装置と移動局装置が接続中であるが、上りリンクの同期が外れている場合に迅速に移動局装置と基地局装置との間の上りリンク同期をとるためにハンドオーバや移動局装置の送信タイミングが有効でない場合等の特別な場合に基地局装置から指示されて移動局装置がランダムアクセス手順を開始する。非競合ベースランダムアクセス手順は、ＲＲＣ（Ｒａｄｉｏ  Ｒｅｓｏｕｒｃｅ  Ｃｏｎｔｒｏｌ：Ｌａｙｅｒ３）層のメッセージ及び物理下りリンク制御チャネルＰＤＣＣＨの制御データにより指示される。
【００８４】
[ＭＡＣ層機能]
端末装置のＭＡＣ層の機能について以下に説明する。ＭＡＣ層は、各論理チャネルをトランスポートチャネルにマッピングする機能を持っている。また、優先度に応じて論理チャネルから送信データを生成する機能を持っている。この手順は論理チャネル優先順位付け（Ｌｏｇｉｃａｌ  Ｃｈａｎｎｅｌ  Ｐｒｉｏｒｉｔｉｚａｔｉｏｎ：ＬＣＰ）手順と呼ばれている。基本的なＬＣＰ手順は、各論理チャネルの優先度と、無線ベアラのＱｏＳに対応する一定期間内に送信しなければならない送信ビットレート（Ｐｒｉｏｒｉｔｉｚｅｄ  Ｂｉｔ  Ｒａｔｅ：ＰＢＲ）とを考慮して送信データの送信優先順位を決定し、上りリンクグラントを受信した時点での送信優先順位の高いデータから送信データを生成する。基地局装置との接続時にＭＡＣ層は、各ＲＢの論理チャネル番号、論理チャネルの優先度とＰＢＲ等の情報をＲＲＣ層から取得する。
【００８５】
[測定]
ＥＵＴＲＡにおける、無線リソース管理（Ｒａｄｉｏ  Ｒｅｓｏｕｒｃｅ  Ｍａｎａｇｅｍｅｎｔ：ＲＲＭ）測定について説明する。
【００８６】
図６は、ＥＵＴＲＡにおける、端末装置ならびに基地局装置の無線リソース管理測定設定管理方法について説明するためのシーケンスチャート図である。
【００８７】
図６の例において、基地局装置は、基地局装置が運用する周波数としてＦ１とＦ２という異なる２つの周波数を使用可能であるとし、端末装置と基地局装置は、周波数Ｆ１において無線接続が確立された状態である。ここで、基地局装置は、端末装置に対して通信中のセル（在圏セル）並びにその他セル（周辺セル）の受信品質を測定させるために測定設定を含むメッセージ（測定設定メッセージ）を送信する（ステップＳ６０１）。測定設定（ｍｅａｓｕｒｅｍｅｎｔ  ｃｏｎｆｉｇｕｒａｔｉｏｎ）メッセージには、測定される周波数（周波数Ｆ１と周波数Ｆ２）毎に少なくとも一つの測定設定情報が含まれる。測定設定情報は、測定ＩＤと、測定対象（ｍｅａｓｕｒｅｍｅｎｔ  ｏｂｊｅｃｔ）と、測定対象に対応する測定対象ＩＤと、トリガタイプ（報告のトリガとなる測定イベント（Ｅｖｅｎｔ）情報または周期的（Ｐｅｒｉｏｄｉｃａｌ）測定情報を含んだ報告設定（ｒｅｐｏｒｔｉｎｇｃｏｎｆｉｇｕｒａｔｉｏｎ）と、報告設定に対応する報告設定ＩＤとで構成される。一つの測定対象ＩＤに対し複数の報告設定ＩＤがリンクされるように構成されていても良い。同様に、複数の測定対象ＩＤに対して一つの報告設定ＩＤがリンクされるように構成されていても良い。
【００８８】
例えば、２つの測定対象（周波数Ｆ１と周波数Ｆ２）と３つの報告設定が通知され、前記測定対象と報告設定との組み合わせに対して３つの測定ＩＤが設定される場合について図７を用いて説明する。
【００８９】
基地局装置は、測定対象として、周波数Ｆ１と周波数Ｆ２に、それぞれ識別子０と１を測定対象ＩＤとして割り当てて端末装置に通知する。また、基地局装置は、報告設定として、報告設定１と報告設定２と報告設定３に、それぞれ識別子０，１，２を報告設定ＩＤとして割り当てて端末装置に通知する。さらに基地局装置は、前記測定対象の識別子と前記報告設定の識別子との組み合わせに対して紐付けされる（リンクされる）測定ＩＤを端末装置に通知する。
【００９０】
図７では、測定ＩＤ＃０として、識別子０の測定対象（周波数Ｆ１）と識別子０の報告設定との組み合わせが指定されている。同様に、識別子０の測定対象（周波数Ｆ１）と識別子１の報告設定との組み合わせが測定ＩＤ＃１に指定され、識別子１の測定対象（周波数Ｆ２）と識別子２の報告設定との組み合わせが測定ＩＤ＃２に指定されている。
【００９１】
また、測定イベント情報とは、例えば、在圏セルのセル固有基準信号の受信品質が所定の閾値よりも下回った／上回ったとき、周辺セルのセル固有基準信号の受信品質が在圏セルよりも下回ったとき、周辺セルの受信品質が所定の閾値よりも上回ったとき、などの条件を示す測定イベントと、当該条件を判定するために用いるパラメータから構成される情報である。パラメータには、閾値、オフセット値、測定イベントの成立に必要な時間などの情報が設定される。非特許文献４では、例えば測定イベントＡ４として、隣接セルの受信品質が、閾値よりも良くなった場合（ｅｎｔｅｒ）（あるいはその状況から離れた場合（ｌｅａｖｅ））に測定報告がトリガ（ｔｒｉｇｇｅｒ）されることが定義されている。
【００９２】
また、周期的測定情報には、測定の目的が含まれ、例えば、最も受信電力の高いセルを報告させるための測定であることや、測定対象の周波数のセルで報知されるシステム情報に含まれるセルグローバル識別子を取得するための測定であることなどが端末装置に通知される。また、セルグローバル識別子を取得するための測定である場合は、測定対象に何れのセルのセルグローバル識別子を取得するかの情報も含まれる。また、セルグローバル識別子を取得するための測定である場合は、測定のためのタイマー（例えばＴ３２１）の値が、対象となる無線アクセス技術（Ｒａｄｉｏ  Ａｃｃｅｓｓ  Ｔｅｃｈｎｏｌｏｇｙ：ＲＡＴ）や多重方法などに基づき設定され、タイマーの計時が開始される。このタイマーの計時が満了（ｅｘｐｉｒｅ）した場合、あるいはタイマーの満了前に測定が完了した場合に測定報告がトリガ（ｔｒｉｇｇｅｒ）される。
【００９３】
端末装置は、ステップＳ６０２において、基地局装置から設定された測定設定情報を内部情報として保存（保持）してから測定処理を開始する。具体的には、端末装置は前述のように測定ＩＤと測定対象ＩＤと報告設定ＩＤとを一つにリンクされるよう対応付けて管理し、各ＩＤに対応する測定情報を基に測定を開始する。これらの３つのＩＤが一つにリンクされている場合、有効とみなして関連する測定を開始し、これらの３つのＩＤが一つにリンクされていない場合（いずれかのＩＤが設定されていない場合）、無効とみなして関連する測定は開始されない。そして、誤り無く測定設定情報を設定できた場合、端末装置は、ステップＳ６０３において測定設定の完了を示すメッセージ（測定設定完了メッセージ）を基地局装置へ送信する。
【００９４】
そして、端末装置において、設定された測定イベントあるいは周期的測定の何れかがパラメータに従い条件を満たした場合、測定報告がトリガ（ｔｒｉｇｇｅｒ）され、測定報告メッセージが基地局装置に対して送信される（ステップＳ６０４）。
【００９５】
以上の事項を考慮しつつ、以下、添付図面を参照しながら本発明の適切な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００９６】
＜第１の実施形態＞
本発明の第１の実施形態について以下に説明する。
【００９７】
図１は、本発明の第１の実施形態における端末装置１の一例を示すブロック図である。本端末装置１は、受信部１０１、復調部１０２、復号部１０３、受信データ制御部１０４、物理レイヤ制御部１０５、送信データ制御部１０６、符号部１０７、変調部１０８、送信部１０９、無線リソース制御部１１０、測定部１１１から少なくとも構成される。図中の「部」とは、セクション、回路、構成装置、デバイス、ユニットなど用語によっても表現される、端末装置１の機能および各手順を実現する要素である。
【００９８】
無線リソース制御部１１０は、端末装置１の無線リソース制御を執り行うＲＲＣ（Ｒａｄｉｏ  Ｒｅｓｏｕｒｃｅ  Ｃｏｎｔｒｏｌ）層の各機能を実行するブロックである。また、受信データ制御部１０４と送信データ制御部１０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【００９９】
なお、端末装置１は、キャリア・アグリゲーション、および／またはＤ２Ｄによる複数の周波数（周波数帯、周波数帯域幅）またはセルの同一サブフレーム内での送受信処理をサポートするために受信系のブロック（受信部１０１、復調部１０２、復号部１０３）、および送信系のブロック（符号部１０７、変調部１０８、送信部１０９）の一部あるいはすべてを複数備える構成であってもよい。
【０１００】
端末装置１の受信処理に関し、無線リソース制御部１１０から受信データ制御部１０４に対して受信データ制御情報が入力され、無線リソース制御部１１０から物理レイヤ制御部１０５に対して各ブロックを制御するための制御パラメータである物理レイヤ制御情報が入力される。物理レイヤ制御情報は、受信制御情報と送信制御情報によって構成される端末装置１の無線通信制御に必要なパラメータ設定を含む情報である。
【０１０１】
物理レイヤ制御情報は、基地局装置２から端末装置１に対して個別（ｄｅｄｉｃａｔｅｄ）に送信される無線接続リソース設定、セル固有の報知情報、またはシステムパラメータなどによって設定され、無線リソース制御部１１０が必要に応じて物理レイヤ制御部１０５へ出力する。物理レイヤ制御部１０５は、受信に関する制御情報である受信制御情報を、受信部１０１、復調部１０２、復号部１０３へ適切に出力する。
【０１０２】
受信制御情報は、下りリンクスケジューリング情報として、受信周波数帯域の情報、物理チャネルと物理シグナルに関する受信タイミング、多重方法、無線リソース制御情報などの情報が含まれる。また、受信データ制御情報は、ＤＲＸ制御情報、マルチキャストデータ受信情報、下りリンク再送制御情報などを含む下りリンクの制御情報であり、ＭＡＣ層、ＲＬＣ層、ＰＤＣＰ層におけるそれぞれの下りリンクに関する制御情報が含まれる。
【０１０３】
受信信号は、受信部１０１において受信される。受信部１０１は、受信制御情報で通知された周波数と周波数帯域に従って基地局装置２からの信号を受信する。受信された信号は復調部１０２へ出力される。また、受信部１０１で受信された同期信号や基準信号は測定部１１１へ出力される。復調部１０２は信号の復調を行う。復調部１０２は、復号部１０３に対して復調後の信号を出力する。復号部１０３は、入力された信号を復号し、復号された各データ（下りリンクデータと下りリンク制御データ、下りリンクトランスポートブロックとも称す）を受信データ制御部１０４に出力する。また、各データと共に基地局装置２から送信されたＭＡＣ制御要素も復号部１０３で復号され、関係するデータは受信データ制御部１０４に出力される。
【０１０４】
受信データ制御部１０４は、受信したＭＡＣ制御要素に基づく物理レイヤ制御部１０５の制御（例えば、セルの活性化／不活性化、ＤＲＸ制御、送信タイミング調整など）や、復号された各データのバッファリングと、再送されたデータの誤り訂正制御（ＨＡＲＱ）を行う。受信データ制御部１０４へ入力された各データは、関係するデータは無線リソース制御部１１０および／または測定部１１１へ出力（転送）される。
【０１０５】
測定部１１１は、無線リソース制御部１１０から入力された測定に必要なパラメータ（例えば測定対象や報告設定等）に基づき、受信部１０１から入力された同期信号や参照信号を用いて受信電力や受信品質の測定を行ない、測定報告をトリガする条件を満たすか否かを判断する。また、測定部１１１は、測定がサイドリンクダイレクトディスカバリーに関するシステム情報を取得する目的である場合に、受信データ制御部１０４から入力されるデータからサイドリンクダイレクトディスカバリーに関するシステム情報を取得し、取得したシステム情報を測定報告に含めるように動作してもよい。
【０１０６】
また、測定部１１１は、受信部１０１から入力される同期信号として、基地局装置２が送信する同期信号だけではなく、サイドリンクダイレクトディスカバリーアナウンスメントを行う他の端末装置１が送信する同期信号（ＳＬＳＳ）を測定してもよい。
【０１０７】
また、測定部１１１は、測定がサイドリンクダイレクトディスカバリーに関するシステム情報を取得する目的である場合であって、既定の値が設定されたタイマーの計時が満了した時点で、セルを検出することができなかった場合あるいは前記サイドリンクダイレクトディスカバリーに関するシステム情報を取得できなかった場合に予め端末装置１に設定されたサイドリンクダイレクトディスカバリーに関する情報を測定報告に含めるように動作してもよい。
【０１０８】
また、端末装置１の送信処理に関し、無線リソース制御部１１０から送信データ制御部１０６に送信データ制御情報が入力され、無線リソース制御部１１０から物理レイヤ制御部１０５に各ブロックを制御するための制御パラメータである物理レイヤ制御情報が入力される。物理レイヤ制御部１０５は、送信に関する制御情報である送信制御情報を、符号部１０７、変調部１０８、送信部１０９へ適切に出力する。送信制御情報は、上りリンクスケジューリング情報として、符号化情報、変調情報、送信周波数帯域の情報、物理チャネルと物理シグナルに関する送信タイミング、多重方法、無線リソース配置情報などの情報が含まれる。
【０１０９】
また、送信データ制御情報は、ＤＴＸ制御情報、ランダムアクセス設定情報、上りリンク共用チャネル情報、論理チャネルプライオリティ情報、リソース要求設定情報、セルグループ情報、上りリンク再送制御情報、バッファステータスレポートなどを含む上りリンクの制御情報である。無線リソース制御部１１０は、複数のセルにそれぞれ対応した複数のランダムアクセス設定情報を送信データ制御部１０６に設定してもよい。
【０１１０】
また、無線リソース制御部１１０は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信データ制御情報に含まれる。
【０１１１】
端末装置１で生起した送信データ（上りリンクデータと上りリンク制御データ、上りリンクトランスポートブロックとも称す）は、無線リソース制御部１１０より任意のタイミングで送信データ制御部１０６に入力される。このとき、送信データ制御部１０６は、入力された送信データの量（上りリンクバッファ量）を計算する。また、送信データ制御部１０６は、入力された送信データが制御平面に属するデータなのか、ユーザ平面に属するデータなのかを判別する機能を有する。
【０１１２】
また、送信データ制御部１０６は、送信データが入力されたときに、送信データ制御部１０６内（図示せず）の上りリンクバッファに送信データを格納する。また、送信データ制御部１０６は、上りリンクバッファに格納された送信データの優先度などに基づき、多重化およびアセンブルを行ないＭＡＣ  ＰＤＵを生成する。そして、送信データ制御部１０６は、入力された送信データの送信に必要な無線リソースが端末装置１に対して割り当てられているかを判断する。送信データ制御部１０６は、無線リソース割り当てに基づいて、物理上りリンク共用チャネルＰＵＳＣＨ、物理上りリンク制御チャネル（ＳＲ−ＰＵＣＣＨ）を用いた無線リソース要求、または物理ランダムアクセスチャネルを用いた無線リソース要求のいずれか一つを選択し、選択したチャネルを送信するための制御処理を物理レイヤ制御部１０５に対して要求する。
【０１１３】
また、送信データ制御部１０６は、入力された送信データが基地局装置２に対する送信データかデバイス間データ通信の送信データかに基づいて、バッファステータスレポートを生成する。また、符号部１０７は、送信制御情報に従って各データを適切に符号化し、変調部１０８に出力する。
【０１１４】
変調部１０８は、符号化された各データを送信するチャネル構造に基づいて適切な変調処理を行う。送信部１０９は、変調処理された各データを周波数領域にマッピングすると共に、周波数領域の信号を時間領域の信号へ変換し、既定の周波数の搬送波にのせて電力増幅を行う。送信部１０９は、また、無線リソース制御部１１０から入力されたセル毎（またセルグループ毎、ＴＡグループ毎）の送信タイミング調整情報に従って上りリンク送信タイミングを調整する。上りリンク制御データが配置される物理上りリンク共用チャネルは、ユーザデータの他に、例えばレイヤ３メッセージ（無線リソース制御メッセージ、ＲＲＣメッセージ）を含めることも可能である。
【０１１５】
また、無線リソース制御部１１０は、上位レイヤからサイドリンクダイレクトディスカバリーアナウンスメントおよび／またはサイドリンクダイレクトディスカバリーアナウンスメントモニタリングを行う（あるいは止める）ように設定された場合、サイドリンクダイレクトディスカバリーアナウンスメントおよび／またはサイドリンクダイレクトディスカバリーアナウンスメントモニタリングを行う（興味がある）、あるいは止める（興味がなくなった）ことを示す情報と、前記サイドリンクダイレクトディスカバリーの周波数やＰＬＭＮ情報、前記周波数におけるサイドリンクダイレクトディスカバリーアナウンスメントおよび／またはサイドリンクダイレクトディスカバリーアナウンスメントモニタリングのためにギャップが必要であること示す情報などを、ＲＲＣメッセージのサイドリンク端末情報（Ｓｉｄｅｌｉｎｋ  ＵＥ  Ｉｎｆｏｒｍａｔｉｏｎ）に含めるように動作してもよい。
【０１１６】
なお、「ギャップが必要である」とは、例えば、（１）通常の端末の動作（オペレーション）では、サイドリンクダイレクトディスカバリーアナウンスメントモニタリング（および／またはサイドリンクダイレクトディスカバリーアナウンスメントモニタリングに関するシステム情報の取得）ができない場合や、（２）サイドリンクダイレクトディスカバリーアナウンスメントモニタリング（および／またはサイドリンクダイレクトディスカバリーアナウンスメントモニタリングに関するシステム情報の取得）によって通常の端末の動作（オペレーション）に影響がある場合や、（３）ギャップなしではサイドリンクダイレクトディスカバリーアナウンスメントモニタリング（および／またはサイドリンクダイレクトディスカバリーアナウンスメントモニタリングに関するシステム情報の取得）できない場合などを示す。
【０１１７】
図１において、その他の端末装置１の構成要素や、構成要素間のデータ（制御情報）の伝送経路については省略してあるが、端末装置１として動作するために必要なその他の機能を有する複数のブロックを構成要素として持つことは明らかである。例えば、無線リソース制御部１１０の上位には、コアネットワークとの制御を執り行うＮＡＳレイヤ部や、アプリケーションレイヤ部が存在する。
【０１１８】
図２は、本発明の第１の実施形態による基地局装置２の一例を示すブロック図である。基地局装置２は、受信部２０１、復調部２０２、復号部２０３、受信データ制御部２０４、物理レイヤ制御部２０５、送信データ制御部２０６、符号部２０７、変調部２０８、送信部２０９、無線リソース制御部２１０、ネットワーク信号送受信部２１１から少なくとも構成される。図中の「部」とは、セクション、回路、構成装置、デバイス、ユニットなどの用語によっても表現される、基地局装置２の機能および各手順を実行する要素である。
【０１１９】
無線リソース制御部２１０は、基地局装置２の無線リソース制御を執り行うＲＲＣ（Ｒａｄｉｏ  Ｒｅｓｏｕｒｃｅ  Ｃｏｎｔｒｏｌ）層の各機能を実行するブロックである。また、受信データ制御部２０４と送信データ制御部２０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【０１２０】
なお、基地局装置２は、キャリア・アグリゲーションなどによる複数の周波数（周波数帯、周波数帯域幅）またはセルの同一サブフレーム内での送受信処理をサポートするために受信系のブロック（受信部２０１、復調部２０２、復号部２０３）、および送信系のブロック（符号部２０７、変調部２０８、送信部２０９）の一部あるいはすべてを複数備える構成であってもよい。
【０１２１】
無線リソース制御部２１０は、下りリンクデータと下りリンク制御データを送信データ制御部２０６に出力する。送信データ制御部２０６は、端末装置１へ送信するＭＡＣ制御要素が存在する場合、ＭＡＣ制御要素と各データ（下りリンクデータまたは下りリンク制御データ）を符号部２０７に出力する。符号部２０７は、入力されたＭＡＣ制御要素と各データを符号化し、変調部２０８に出力する。変調部２０８は、符号化された信号の変調を行なう。
【０１２２】
また、無線リソース制御部２１０は、端末装置１に対する測定設定メッセージに、報告設定の測定目的として、サイドリンクダイレクトディスカバリーに関するシステム情報を取得することを示す情報を含めるように動作してもよい。また、無線リソース制御部２１０は、端末装置１に対する測定設定メッセージに、測定対象の情報として、サイドリンクダイレクトディスカバリーに関するシステム情報を取得するセルの物理セル識別子を含めるように動作してもよい。
【０１２３】
また、変調部２０８で変調された信号は送信部２０９に入力される。送信部２０９は、入力された信号を周波数領域にマッピングした後、周波数領域の信号を時間領域の信号へ変換し、既定の周波数の搬送波にのせて電力増幅を行い送信する。下りリンク制御データが配置される物理下りリンク共用チャネルは、典型的にはレイヤ３メッセージ（ＲＲＣメッセージ）を構成する。
【０１２４】
また、受信部２０１は、端末装置１から受信した信号をベースバンドのデジタル信号に変換する。端末装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２に入力されて復調される。復調部２０２で復調された信号は続いて復号部２０３へと入力される。復号部２０３は、入力された信号を復号し、復号された各データ（上りリンクデータと上りリンク制御データ）を受信データ制御部２０４に出力する。また、各データと共に端末装置１から送信されたＭＡＣ制御要素も復号部２０３で復号され、関係するデータは受信データ制御部２０４に入力される。
【０１２５】
受信データ制御部２０４は、受信したＭＡＣ制御要素に基づく物理レイヤ制御部２０５の制御や、復号された各データをバッファリングし、再送されたデータの誤り訂正制御（ＨＡＲＱ）を行う。受信データ制御部２０４へ入力された各データは、必要に応じて無線リソース制御部２１０に入力（転送）される。
【０１２６】
これら各ブロックの制御に必要な物理レイヤ制御情報は、受信制御情報と送信制御情報によって構成される基地局装置２の無線通信制御に必要なパラメータ設定を含む情報である。物理レイヤ制御情報は、上位のネットワーク装置（ＭＭＥやゲートウェイ装置（ＳＧＷ）、ＯＡＭなど）やシステムパラメータにより設定され、無線リソース制御部２１０が必要に応じて制御部２０４へ出力する。
【０１２７】
物理レイヤ制御部２０５は、送信に関連する物理レイヤ制御情報を送信制御情報として符号部２０７、変調部２０８、送信部２０９の各ブロックに出力し、受信に関連する物理レイヤ制御情報を受信制御情報として受信部２０１、復調部２０２、復号部２０３の各ブロックに適切に出力する。
【０１２８】
受信データ制御情報は、基地局装置２のＭＡＣ層、ＲＬＣ層、ＰＤＣＰ層のそれぞれに対する端末装置１の上りリンクに関する制御情報が含まれている。また、送信データ制御情報は、基地局装置２のＭＡＣ層、ＲＬＣ層、ＰＤＣＰ層のそれぞれに対する端末装置１の下りリンクに関する制御情報が含まれている。すなわち、受信データ制御情報と送信データ制御情報は、端末装置１毎に設定されている。
【０１２９】
ネットワーク信号送受信部２１１は、基地局装置２間あるいは上位のネットワーク装置（ＭＭＥ、ＳＧＷ）と基地局装置２との間の制御メッセージ、またはユーザデータの送信（転送）または受信を行なう。
【０１３０】
図２において、その他の基地局装置２の構成要素や、構成要素間のデータ（制御情報）の伝送経路については省略してあるが、基地局装置２として動作するために必要なその他の機能を有する複数のブロックを構成要素として持つことは明らかである。例えば、無線リソース制御部２１０の上位には、無線リソース管理（Ｒａｄｉｏ  Ｒｅｓｏｕｒｃｅ  Ｍａｎａｇｅｍｅｎｔ）部や、アプリケーションレイヤ部が存在する。
【０１３１】
次に、図３を用いて、端末装置１がサイドリンクダイレクトディスカバリーアナウンスメントモニタリングを行うための手順の一例を説明する。
【０１３２】
図３において、上位レイヤからの指示等により、端末装置１は、基地局装置２に対してサイドリンク端末情報（Ｓｉｄｅｌｉｎｋ  ＵＥ  Ｉｎｆｏｒｍａｔｉｏｎ）を送信する（ステップＳ３０１）。サイドリンク端末情報には、サイドリンクダイレクトコミュニケーションを受信する興味がある周波数、サイドリンクダイレクトコミュニケーションを送信する興味がある周波数、Ｅ−ＵＴＲＡＮに専用リソースを割り当てるよう要求するためのサイドリンクダイレクトコミュニケーション宛先（ｄｅｓｔｉｎａｔｉｏｎ（ｓ））、サイドリンクダイレクトディスカバリーアナウンスメントの受信に興味があることを示す情報、Ｅ−ＵＴＲＡＮに専用リソースを割り当てるよう要求するためのサイドリンクダイレクトディスカバリーアナウンスメント用のリソース数などの一つまたは複数が含まれる。サイドリンク端末情報には、サイドリンクダイレクトディスカバリーアナウンスメントモニタリングの受信に興味がある周波数に関連する情報が含まれてもよい。例えば、サイドリンク端末情報には、サイドリンクダイレクトディスカバリーアナウンスメントモニタリングの受信に興味がある周波数の情報（例えばＡＲＦＣＮ：Ａｂｓｏｌｕｔｅ  ｒａｄｉｏ−ｆｒｅｑｕｅｎｃｙ  ｃｈａｎｎｅｌ  ｎｕｍｂｅｒ）、その周波数のＰＬＭＮ識別子、および／または、その周波数でのサイドリンクダイレクトディスカバリーアナウンスメントモニタリング（あるいはサイドリンクダイレクトディスカバリーアナウンスメントモニタリングのための測定）において、サービングセルでの信号を受信しない期間（ギャップ）（サイドリンクディスカバリギャップ）が必要であるか否かを示す情報が含まれてもよい。周波数間ディスカバリ周波数リスト（システムインフォメーションブロック  タイプ１９（ＳＩＢ１９）に含まれていれば）に含まれるサイドリンクダイレクトディスカバリーアナウンスメントに使用される一つまたは複数の周波数でのサイドリンクダイレクトディスカバリーアナウンスメントのモニタリングをするように上位レイヤに設定された場合で、少なくとも一つの周波数で、サイドリンクダイレクトディスカバリーアナウンスメントのモニタリングにサイドリンクディスカバリギャップが要求される場合、端末装置１は、サイドリンクダイレクトディスカバリーアナウンスメントモニタリングの受信に興味がある周波数に関連する情報をサイドリンク端末情報に含めてよい。さらに、または、代わりに、ほかのＰＬＭＮで、サイドリンクダイレクトディスカバリーアナウンスメントのモニタリングをするように上位レイヤに設定された場合で、少なくとも一つの周波数で、サイドリンクダイレクトディスカバリーアナウンスメントのモニタリングにサイドリンクディスカバリギャップが要求される場合、端末装置１は、サイドリンクダイレクトディスカバリーアナウンスメントモニタリングの受信に興味がある周波数に関連する情報をサイドリンク端末情報に含めてよい。これにより、基地局装置２は、受信した情報を考慮して、端末装置１に対する設定を判断できる。
【０１３３】
サイドリンク端末情報の送信は、プライマリセルでシステムインフォメーションブロック  タイプ１９が報知されている場合であって、サイドリンクダイレクトディスカバリーアナウンスメントのモニタリングを行う周波数の情報が、最後に送信したサイドリンクダイレクトディスカバリーに関する情報に含まれなかった場合、または、上位レイヤに設定されたサイドリンクダイレクトディスカバリーアナウンスメントのモニタリングを行う周波数が、最後に送信したサイドリンクダイレクトディスカバリーに関する情報から変更された場合に開始（Ｉｎｉｔｉａｔｅ）されてもよい。
【０１３４】
また、サイドリンク端末情報の送信は、サイドリンクダイレクトディスカバリーアナウンスメントのモニタリングを行う周波数において、サイドリンクダイレクトディスカバリーアナウンスメントのモニタリングを行う際の同期元（ｓｙｎｃｈｒｏｎｉｚａｔｉｏｎｓｏｕｒｃｅ）が、最後にサイドリンクダイレクトディスカバリーに関する情報を送信してから変更された場合に、周波数の変更が伴わない場合であっても開始（Ｉｎｉｔｉａｔｅ）されてもよい。例えば、同期元が異なるセルに変更された場合や、同期元がセルから、ＳＬＳＳを送信する他の端末装置１に変更された場合や、同期元がＳＬＳＳを送信する他の端末装置１から別の端末装置１あるいはセルに変更された場合などに送信を開始するようにしてもよい。
【０１３５】
あるいは、ギャップが必要であるか否かを基地局装置２が判断できる情報は、別のＲＲＣメッセージ（例えば端末能力情報（ＵＥ  Ｃａｐａｂｉｌｉｔｙ  Ｉｎｆｏｒｍａｔｉｏｎ））によって通知されてもよい。
【０１３６】
また、サイドリンク端末情報には、サービングセルにおける通信とサイドリンクダイレクトディスカバリーの通信の何れを優先するかの情報を含めるようにしてもよい。
【０１３７】
また、サイドリンク端末情報には、サイドリンクダイレクトディスカバリーアナウンスメントモニタリングだけでなく、サイドリンクダイレクトディスカバリーアナウンスメントの情報を同様に含めてもよい。
【０１３８】
基地局装置２は、サイドリンク端末情報を端末装置１から受信する。基地局装置２は、端末装置１に対して測定設定メッセージを送信する（ステップＳ３０２）。基地局装置２は、サイドリンク端末情報に含まれる周波数情報に基づいて測定設定メッセージを送信してもよいし、何らかの判断に基づいて測定設定メッセージを送信してもよい。
【０１３９】
例えば、測定設定には、測定対象として、サイドリンク端末情報に含まれるサイドリンクダイレクトディスカバリーの周波数が含まれ、報告設定として、隣接セルの測定結果が報告設定に含まれる既定値（絶対値）よりも良くなる場合に測定報告手続きをトリガするように設定されるようにしてもよい。
【０１４０】
また、例えば、測定設定には、測定対象として、サイドリンク端末情報に含まれるサイドリンクダイレクトディスカバリーの周波数が含まれ、報告設定として、（測定対象の周波数の）隣接セルの測定結果が報告設定に含まれる既定値（絶対値）よりも良くなる場合（Ｅｎｔｅｒｉｎｇ  ｃｏｎｄｉｔｉｏｎ）に測定報告手続きをトリガするように設定されるようにしてもよい。また、隣接セルの測定結果が報告設定に含まれる既定値（絶対値）よりも良くなる状態から離れた場合（Ｌｅａｖｉｎｇ  ｃｏｎｄｉｔｉｏｎ）にも、測定報告手続きがトリガされるようにしてもよい。
【０１４１】
測定設定メッセージを受信した端末装置１は、測定設定に基づき、測定を開始し（ステップＳ３０３）、報告の条件に従い、測定結果を基地局装置２に報告する（ステップＳ３０４）。
【０１４２】
基地局装置２は、測定報告を受信する（ステップＳ３０５）。基地局装置２は、測定報告に含まれるサイドリンクダイレクトディスカバリーの周波数で検出されたセルの物理セル識別子情報や、当該周波数におけるサイドリンクダイレクトディスカバリーのためのギャップの要否などを考慮して、端末装置１に対して、更なる測定を指示したり、ハンドオーバを指示したりしてもよい。
【０１４３】
基地局装置２は、端末装置１に対して、サイドリンクダイレクトディスカバリーの周波数において検出したセルで報知されているシステム情報（サイドリンクダイレクトディスカバリーに関する情報）を取得するための測定を設定する（ステップＳ３０６）。このとき、測定設定の測定対象にはサイドリンクダイレクトディスカバリーの周波数と、対象となるセルの物理セル識別子が含まれ、報告設定にはトリガタイプとして周期的測定が設定され、測定の目的としてサイドリンクダイレクトディスカバリーに関するシステム情報を取得することが設定されるようにしてもよい。また、サイドリンクダイレクトディスカバリーに関するシステム情報を取得することが測定の目的として設定される測定識別子は最大で一つだけ設定されるようにしてもよい。
【０１４４】
測定設定を受信した端末装置１は、受信した測定設定の測定識別子追加変更リストに含まれる各測定識別子に対して、もし端末装置１で保持する測定設定の測定識別子と同じエントリーが存在する場合には、受信した値で置き換える。そうでなければ、新たなエントリーとして端末装置１で保持する測定設定に追加する。
【０１４５】
そして、前記各測定識別子に対応する測定報告のエントリーを保持している場合、そのエントリーを削除する。
【０１４６】
そして、周期的報告のためのタイマー（例えばセルグローバル識別子を取得する際に用いられるタイマー（Ｔ３２１）や、後述するサイドリンクダイレクトディスカバリーに関するシステム情報を取得する際に用いられるタイマー（Ｔ３２２）など）が計時中であれば停止し、この測定識別子に関連する情報をリセットする。
【０１４７】
そして、この測定識別子に対応する報告設定において、トリガタイプとして周期的測定が設定され、測定目的がサイドリンクダイレクトディスカバリーに関するシステム情報を取得するためである場合、この測定識別子のために、タイマー（Ｔ３２２）を既定の値で計時を開始する。
【０１４８】
それぞれの測定識別子に対して、端末装置１は、次のように測定を行う。この測定識別子に対応する報告設定において、測定目的がサイドリンクダイレクトディスカバリーに関するシステム情報を取得するためである場合、端末装置１は、対応する測定対象で示される周波数において、必要であれば自律ギャップ（Ａｕｔｏｎｏｍｏｕｓ  ｇａｐ）を用いて測定を行う。端末装置１は、測定設定に含まれる第１のパラメータ（サイドリンクダイレクトディスカバリーをモニタリングするためのセル情報）によって示されるセルのサイドリンクダイレクトディスカバリーに関するシステム情報（グローバルセルＩＤ、ディスカバリ受信リソースプール、および／または、ディスカバリ設定など）を獲得することを試みてもよい。代わりに、端末装置１は、セル選択を関連する測定設定に含まれる周波数で、セル選択を行い、選択されたセルからサイドリンクダイレクトディスカバリーに関するシステム情報を獲得することを試みてもよい。なお、自律ギャップの期間は前記タイマー（Ｔ３２２）の値によって設定されてもよい。端末装置１は、前記測定に、利用可能なアイドル期間を用いてもよい。代わりに、端末装置１は、前記測定に、利用可能なアイドル期間を用いなくてもよい。
【０１４９】
あるいは、この測定識別子に対応する報告設定において、測定目的がセルグローバル識別子を取得するためである場合であって、報告設定に、サイドリンクダイレクトディスカバリーに関するシステム情報の取得要求が含まれる場合、端末装置１は、対応する測定対象で示される周波数において、必要であれば自律ギャップ（Ａｕｔｏｎｏｍｏｕｓ  ｇａｐ）を用いて測定を行ってもよい。さらに、端末装置１は、セルのサイドリンクダイレクトディスカバリーに関するシステム情報を獲得することを試みてもよい。なお、自律ギャップの期間は前記タイマー（Ｔ３２１）の値によって設定されてもよい。端末装置１は、前記測定に、利用可能なアイドル期間を用いてもよい。代わりに、端末装置１は、前記測定に、利用可能なアイドル期間を用いなくてもよい。
【０１５０】
端末装置１は、それぞれの測定識別子に対して、関連する報告設定がサイドリンクダイレクトディスカバリーアナウンスメントのモニタリングに関する報告を測定目的とする場合、関連する周波数で検出され、対応する測定対象に含まれる第１のパラメータで示される値と一致する物理セル識別子を持つどんな隣接セル（ａｎｙ  ｎｅｉｇｈｂｏｕｒｉｎｇ  ｃｅｌｌ）も測定報告に含める（適用可能である（ｔｏ  ｂｅ  ａｐｐｌｉｃａｂｌｅである））と設定（判断（ｃｏｎｓｉｄｅｒ））してもよい。
【０１５１】
サイドリンクダイレクトディスカバリーに関するシステム情報が既定のタイマー（Ｔ３２２やＴ３２１）の計時中に取得できた場合、あるいは規定のタイマーの計時が満了した場合、測定報告手続きがトリガされる（ステップＳ３０７）。また、他の報告設定に基づき、他の条件で測定報告手続きがトリガされてもよい。なお、前記タイマー（Ｔ３２２）は、端末装置１に設定された測定設定に、測定目的がサイドリンクダイレクトディスカバリーに関するシステム情報を取得するためと設定された報告設定が含まれる場合に計時を開始し、報告に必要なすべてのサイドリンクダイレクトディスカバリーに関するシステム情報を取得した場合に停止される。また、前記タイマーの計時が満了した場合、測定報告手順を開始し、関連する測定を停止し、対応する測定設定識別子を削除するようにしてもよい。また、説明の便宜上、タイマーの名称としてタイマー（Ｔ３２２）と呼称しているが、その他の名称であっても本実施形態における端末装置１や基地局装置２の動作に何ら影響はない。
【０１５２】
端末装置１は、測定報告手続きがトリガされると、サービングセル（ＰＣｅｌｌ）の測定結果（受信電力および受信品質）を測定報告に含め、少なくとも一つの報告すべき適用可能な隣接セルがある場合、隣接セルの測定結果に、最大セル数まで最良の隣接セルを含め、測定目的がサイドリンクダイレクトディスカバリーアナウンスメントのモニタリングに関する報告であり、関連する測定対象において、基地局装置から通知された物理セル識別子（第１のパラメータ）で示されるセルに対するセルグローバル識別子（ＣＧＩ）情報が得られた場合で、前記セルがサイドリンクダイレクトディスカバリーアナウンスメントのモニタリングに関する設定情報を報知している場合、取得できた（獲得（ａｃｑｕｉｒｅ）された）サイドリンクダイレクトディスカバリーアナウンスメントのモニタリングに関する設定情報を、測定報告に含めるようにしてもよい。
【０１５３】
また、端末装置１は、報告設定に第１のパラメータが含まれない場合、測定識別子に紐づけられた測定対象で示される周波数において検出された何れかのセルで取得（獲得）に成功したサイドリンクダイレクトディスカバリーアナウンスメントのモニタリングに関する設定情報を、測定報告に含めるようにしてもよい。
【０１５４】
また、測定結果にはサービングセル（プライマリセル（ＰＣｅｌｌ）、あるいはセカンダリセル（ＳＣｅｌｌ））と測定したセルとの時間ずれ情報（システムフレーム番号（ＳＦＮ）および／またはサブフレームのオフセット情報）が含まれてもよい。
【０１５５】
また、端末装置１は、報告設定がサイドリンクダイレクトディスカバリーアナウンスメントのモニタリングに関する報告を測定目的とする場合に、測定対象のセルにおいてサイドリンクダイレクトディスカバリーアナウンスメントモニタリングに関するシステム情報が受信できなかったことと、測定対象のセルにおいて獲得したサイドリンクダイレクトディスカバリーに関するシステム情報にモニタリングに関する情報のすべてあるいは一部が存在しないことを認識できる情報を測定報告に含めてもよい。
【０１５６】
端末装置１は基地局装置２に対して測定報告を送信し（ステップＳ３０８）、基地局装置２は、測定報告を受信する（ステップＳ３０９）。基地局装置２は、測定報告に含まれるサイドリンクダイレクトディスカバリーに関する情報に基づき、端末装置１に対して、サイドリンクダイレクトディスカバリーアナウンスメントのモニタリング（あるいはアナウンスメント）のための期間（ギャップ）を設定したり、ハンドオーバを指示したりしてもよい。
【０１５７】
サイドリンクダイレクトディスカバリーアナウンスメントをモニタするように上位レイヤに設定されていて、サイドリンクダイレクトディスカバリーの能力を持つ端末装置１は、端末装置１がサイドリンクダイレクトディスカバリーアナウンスメントをモニタするように設定されたそれぞれの周波数に対して、ＳＩＢ１９に含まれる周波数間ディスカバリ周波数リストに含まれる周波数を優先しながら、次のように処理を行う。もし、この周波数でのサイドリンクダイレクトディスカバリーアナウンスメントをモニタリングが通常処理に影響しない（例えば、アイドル期間中やスペアの受信機を使うことによって受信する）場合、または、この周波数でサイドリンクディスカバリギャップが設定されている場合、ＳＩＢ１９のディスカバリ受信リソースプールで示されるリソースのプールを使ってサイドリンクダイレクトディスカバリーアナウンスメントをモニタリングするよう下位レイヤを設定する（例えば、端末装置１は、モニタリングする）（ステップＳ３１０）。
【０１５８】
なお、上記手順は、手順の一例を示すものであって、すべてのステップが実施される必要はない。
【０１５９】
例えば基地局装置２は、端末装置１からサイドリンク端末情報を受信した場合に、すでに端末装置１に対して必要な測定が設定している場合は、ステップＳ３０２の処理を行う必要はない。
【０１６０】
また、例えば基地局装置２は、ステップＳ３０１のサイドリンク端末情報に基づき、ステップＳ３０２からＳ３０４の処理なしにステップＳ３０５の処理を行うようにしてもよい。この場合に、例えば基地局装置２は、測定設定の測定対象に、測定するセルの物理セル識別子として既定の値を設定してもよいし、測定するセルの物理セル識別子を設定しないようにしてもよい。後者の場合、端末装置１は、測定対象の周波数で検出された何れかのセルのサイドリンクダイレクトディスカバリーに関する情報を取得するようにしてもよい。
【０１６１】
本実施形態の端末装置１は、基地局装置２に対し、サイドリンクダイレクトディスカバリーアナウンスメントモニタリングのための測定にギャップが必要であるかを通知することができる。また、端末装置１は、サイドリンクダイレクトディスカバリーアナウンスメントモニタリングに関するシステム情報を取得するための測定設定を基地局装置から受信することができる。また、端末装置１は、サイドリンクダイレクトディスカバリーアナウンスメントモニタリングに関するシステム情報を測定報告に含めて基地局装置２に通知することができる。これにより、端末装置１は、端末装置１の端末能力に基づき効率的なサイドリンクダイレクトディスカバリーアナウンスメントモニタリングを行うことが可能となる。
【０１６２】
本実施形態の基地局装置２は、端末装置１から、サイドリンクダイレクトディスカバリーアナウンスメントモニタリングのための測定にギャップが必要であるかを受信することができる。また、基地局装置２は、サイドリンクダイレクトディスカバリーアナウンスメントモニタリングに関するシステム情報を取得するための測定設定を端末装置１に通知することができる。また、基地局装置２は、端末装置１に測定させた他セルのサイドリンクダイレクトディスカバリーアナウンスメントモニタリングに関するシステム情報を取得することができる。これにより、基地局装置２は、端末装置１のサイドリンクダイレクトディスカバリーアナウンスメントモニタリングを考慮した効率的なスケジューリングを行うことが可能となる。
【０１６３】
＜第２の実施形態＞
本発明の第２の実施形態について以下に説明する。
【０１６４】
第１の実施形態では、サイドリンクダイレクトディスカバリーアナウンスメントモニタリングに関するシステム情報を他セルから取得する手順について説明した。本実施形態では、サイドリンクダイレクトディスカバリーアナウンスメントモニタリングを行う周波数の測定において、他の端末装置１が送信するＳＬＳＳを検出した場合の処理の一例について説明する。
【０１６５】
本実施形態で用いられる端末装置１と基地局装置２は、第１の実施形態と同じであるため、詳細な説明は省略する。
【０１６６】
また、端末装置１がサイドリンクダイレクトディスカバリーアナウンスメントモニタリングを行うための手順も第１の実施形態の図３を用いて説明した手順と同じであるため、詳細な説明は省略する。
【０１６７】
図３のステップＳ３０３において、他の端末装置１が送信するＳＬＳＳを受信した端末装置１は、ＳＬＳＳ  ＩＤを基地局装置２に通知するようにしてもよい。例えば、サイドリンク端末情報に、ＳＬＳＳ  ＩＤおよび／または当該ＳＬＳＳを同期元とする場合に使用されるサイドリンクダイレクトディスカバリーアナウンスメントモニタリングに関する情報を含めて通知する。ここでのサイドリンクダイレクトディスカバリーアナウンスメントモニタリングに関する情報は、例えば端末装置１に予め設定された情報であってもよいし、ＳＬＳＳを送信する端末装置１から報知されてもよい。あるいは、測定報告に含めてもよいし、他のＲＲＣメッセージで通知してもよい。これにより、基地局装置２は、サイドリンクダイレクトディスカバリーの同期元が端末装置１である場合においても、端末装置１にモニタリングのためのギャップを設定することができるため、端末装置１のサイドリンクダイレクトディスカバリーアナウンスメントモニタリングの機会を与えることが可能となる。
【０１６８】
あるいは、ＳＬＳＳ  ＩＤを通知するのではなく、同期元が変更されたものとして、第１の実施形態のサイドリンク端末情報の送信をトリガしてもよい。これにより、基地局装置２は、端末装置１のサイドリンクダイレクトディスカバリーの周波数における受信状態の変化を把握することが可能となる。
【０１６９】
また、図３のステップＳ３０７において、他の端末装置１が送信するＳＬＳＳを受信した場合に、ＳＬＳＳ  ＩＤを基地局装置２に通知するようにしてもよい。例えば、ＳＬＳＳ  ＩＤおよび／または当該ＳＬＳＳを同期元とする場合に使用されるサイドリンクダイレクトディスカバリーアナウンスメントモニタリングに関する情報を含めて測定報告を基地局装置２に通知する。ここでのサイドリンクダイレクトディスカバリーアナウンスメントモニタリングに関する情報は、例えば端末装置１に予め設定された情報であってもよいし、ＳＬＳＳを送信する端末装置１から報知されてもよい。これにより、基地局装置２は、サイドリンクダイレクトディスカバリーの同期元が端末装置１である場合においても、端末装置１にモニタリングのためのギャップを設定することができるため、端末装置１のサイドリンクダイレクトディスカバリーアナウンスメントモニタリングの機会を与えることが可能となる。
【０１７０】
上記各実施形態において、サイドリンクダイレクトディスカバリーに関するシステム情報は、既存のシステム情報であるシステムインフォメーションブロック  タイプ１９に含まれる情報であってもよいし、新たに用意されるシステムインフォメーションブロックを用いてもよい。また、同様に、サイドリンクダイレクトコミュニケーションに関するシステム情報は、既存のシステム情報であるシステムインフォメーションブロック  タイプ１８に含まれる情報であってもよいし、新たに用意されるシステムインフォメーションブロックを用いてもよい。
【０１７１】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータや各イベントの名称は、説明の便宜上呼称しているものであって、実際に適用される名称と本発明の実施形態の名称とが異なっていても、本発明の実施形態において主張する発明の趣旨に影響するものではない。
【０１７２】
また、各実施形態で用いたエンティティ（ｅｎｔｉｔｙ）はサブレイヤ（ｓｕｂｌａｙｅｒ）と同義とみなしてよい。すなわち、ＲＲＣエンティティ、ＰＤＣＰエンティティ、ＲＬＣエンティティ、ＭＡＣエンティティは、それぞれ、ＲＲＣサブレイヤ、ＰＤＣＰサブレイヤ、ＲＬＣサブレイヤ、ＭＡＣサブレイヤに置き換えて説明することができる。
【０１７３】
また、各実施形態で用いた「接続」とは、ある装置と別のある装置とを、物理的な回線を用いて直接接続される構成にだけ限定されるわけではなく、論理的に接続される構成や、同一または異なる無線技術を用いて無線接続される構成を含む。
【０１７４】
また、具体的な数値を用いて説明された内容は、説明の便宜上用いた単なる数値の一例に過ぎず、適切な如何なる値が適用されてよい。
【０１７５】
また、端末装置１とは、可搬型あるいは可動型の移動局装置のみならず、屋内外に設置される据え置き型、または非可動型の電子機器、たとえば、ＡＶ機器、キッチン機器、掃除・洗濯機器、空調機器、オフィス機器、自動販売機、その他生活機器や測定機器、車載装置、さらに身に着けることが可能なウェアラブル機器やヘルスケア機器などに対し通信機能を搭載したものを含む。また、端末装置１は、人対人または人対機器の通信だけではなく、機器対機器の通信（Ｍａｃｈｉｎｅ  Ｔｙｐｅ  Ｃｏｍｍｕｎｉｃａｔｉｏｎ、マシンタイプ通信）、車対人、車対車、路面の建造物対車（路車間）の通信に用いられてもよい。
【０１７６】
端末装置１は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置２は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０１７７】
なお、基地局装置２は、３ＧＰＰが規定するＵＭＴＳにおいてＮＢと称され、ＥＵＴＲＡおよびＡｄｖａｎｃｅｄ  ＥＵＴＲＡにおいてｅＮＢと称される。なお、３ＧＰＰが規定するＵＭＴＳ、ＥＵＴＲＡおよびＡｄｖａｎｃｅｄ  ＥＵＴＲＡにおける端末装置１はＵＥと称される。
【０１７８】
また、説明の便宜上、機能的なブロック図を用いて、端末装置１および基地局装置２の各部の機能またはこれらの機能の一部を実現するための方法、手段、またはアルゴリズムのステップについて具体的に組み合わせて記載したが、これらは、ハードウェア、プロセッサによって実行されるソフトウェアモジュール、または、これらを組み合わせたものによって、直接的に具体化され得る。
【０１７９】
もしハードウェアによって実装されるのであれば、端末装置１および基地局装置２は説明したブロック図の構成以外に端末装置１および基地局装置２へ電力を供給する給電装置やバッテリー、液晶などのディスプレイ装置およびディスプレイ駆動装置、メモリ、入出力インターフェースおよび入出力端子、スピーカー、その他の周辺装置の組み合わせによって構成されてもよい。
【０１８０】
もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０１８１】
そして、一つ以上の命令またはコードをコンピュータ読み取り可能な記録媒体に記録し、この記録媒体に記録された一つ以上の命令またはコードをコンピュータシステムに読み込ませ、実行することにより端末装置１や基地局装置２の制御を行なっても良い。なお、ここでいう「コンピュータシステム」とは、ＯＳや周辺機器等のハードウェアを含むものとする。
【０１８２】
本発明の各実施形態に記載の動作をプログラムで実現してもよい。本発明の各実施形態に関わる端末装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。
【０１８３】
また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０１８４】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０１８５】
また、上記プログラムは、前述した機能の一部を実現するためのものであっても良く、さらに、前述した機能をコンピュータシステムに既に記録されているプログラムとの組み合わせで実現できるものであっても良い。
【０１８６】
また、上記各実施形態に用いた端末装置１および基地局装置２の各機能ブロック、または諸特徴は、本明細書で述べられた機能を実行するように設計された汎用用途プロセッサ、デジタルシグナルプロセッサ（ＤＳＰ）、特定用途向けの集積回路（ＡＳＩＣ）あるいは一般用途向けの任意の集積回路（ＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。
【０１８７】
また、上述した実施形態における端末装置１、基地局装置２の各機能ブロック、または諸特徴の一部、または全部は、少なくとも本明細書で述べられた機能を発揮できるように設計された電気回路、典型的には集積回路であるＬＳＩとして実現（実行）してもよいし、チップセットとして実現（実行）してもよい。なおチップセットは、アンテナ、受動部品、など、その他の部品を含む構成であってもよい。端末装置１、基地局装置２の各機能ブロックは個別にチップ化してもよいし、一部、または全部を集積してチップ化してもよい。また、集積回路化の手法はＬＳＩに限らず専用回路、または汎用用途プロセッサで実現しても良い。また、半導体技術の進歩によりＬＳＩに代替する集積回路化の技術が出現した場合、当該技術による集積回路を用いることも可能である。
【０１８８】
汎用用途プロセッサは、マイクロプロセッサであっても良いが、代わりにプロセッサは従来型のプロセッサ、コントローラ、マイクロコントローラ、またはステートマシンであっても良い。汎用用途プロセッサ、または上述した各回路は、デジタル回路で構成されていてもよいし、アナログ回路で構成されていてもよいし、その両方を含んでいてもよい。
【０１８９】
プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものであってもよい。
【０１９０】
（まとめ）
本発明の実施形態における端末装置は、設定されたそれぞれの測定識別子に対して、関連する報告設定に含まれる測定目的がサイドリンクダイレクトディスカバリーアナウンスメントのモニタリングに関する報告であり、報告設定に第１のパラメータが含まれる場合、自律ギャップを用いて測定識別子に紐づけられた測定対象で示される周波数で測定を行ない、第１のパラメータで示されるセルのサイドリンクダイレクトディスカバリーアナウンスメントのモニタリングに関する設定情報を、前記セルで報知されるシステム情報を取得することによって取得することを試みる。
【０１９１】
また、本発明の実施形態における端末装置において、報告設定に第１のパラメータが含まれない場合、端末装置は、自律ギャップを用いて前記測定識別子に紐づけられた測定対象で示される周波数で測定を行ない、前記周波数において検出されたセルのサイドリンクダイレクトディスカバリーアナウンスメントのモニタリングに関する設定情報を、前記セルで報知されるシステム情報を取得することによって取得することを試みる。
【０１９２】
また、本発明の実施形態における基地局装置は、端末装置に設定する測定識別子に対して、関連する報告設定に含まれる測定目的としてサイドリンクダイレクトディスカバリーアナウンスメントのモニタリングに関する報告を設定し、前記報告設定に第１のパラメータを含めることにより、端末装置に、自律ギャップを用いて測定識別子に紐づけられた測定対象で示される周波数で測定を行なわせ、第１のパラメータで示されるセルのサイドリンクダイレクトディスカバリーアナウンスメントのモニタリングに関する設定情報を、セルで報知されるシステム情報から取得させる。
【０１９３】
また、本発明の実施形態における通信システムにおいて、基地局装置は、端末装置に設定する測定識別子に対して、関連する報告設定に含まれる測定目的としてサイドリンクダイレクトディスカバリーアナウンスメントのモニタリングに関する報告を設定し、報告設定に第１のパラメータを含め、端末装置は、設定されたそれぞれの測定識別子に対して、関連する報告設定に含まれる測定目的がサイドリンクダイレクトディスカバリーアナウンスメントのモニタリングに関する報告であり、報告設定に第１のパラメータが含まれる場合、自律ギャップを用いて測定識別子に紐づけられた測定対象で示される周波数で測定を行ない、第１のパラメータで示されるセルのサイドリンクダイレクトディスカバリーアナウンスメントのモニタリングに関する設定情報を、セルで報知されるシステム情報を取得することによって取得することを試みる。
【０１９４】
また、本発明の実施形態における端末装置の測定方法は、設定されたそれぞれの測定識別子に対して、関連する報告設定に含まれる測定目的がサイドリンクダイレクトディスカバリーアナウンスメントのモニタリングに関する報告であり、報告設定に第１のパラメータが含まれる場合に、自律ギャップを用いて測定識別子に紐づけられた測定対象で示される周波数で測定を行なうステップと、第１のパラメータで示されるセルのサイドリンクダイレクトディスカバリーアナウンスメントのモニタリングに関する設定情報を、セルで報知されるシステム情報を取得することによって取得することを試みるステップとを少なくとも含む。
【０１９５】
また、本発明の実施形態における端末装置に搭載される集積回路は、設定されたそれぞれの測定識別子に対して、関連する報告設定に含まれる測定目的がサイドリンクダイレクトディスカバリーアナウンスメントのモニタリングに関する報告であり、報告設定に第１のパラメータが含まれる場合に、自律ギャップを用いて測定識別子に紐づけられた測定対象で示される周波数で測定を行なう機能と、第１のパラメータで示されるセルのサイドリンクダイレクトディスカバリーアナウンスメントのモニタリングに関する設定情報を、セルで報知されるシステム情報を取得することによって取得することを試みる機能とを端末装置に発揮させる。
【０１９６】
以上、この発明の実施形態について具体例に基づいて詳述してきたが、本発明の各実施形態の趣旨ならびに特許請求の範囲は、これらの具体例に限定されないことは明らかであり、この発明の要旨を逸脱しない範囲の設計変更等も含まれる。すなわち、本明細書の記載は例示説明を目的としたものであり、本発明の各実施形態に対して何ら制限を加えるものではない。
【０１９７】
また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も本発明の技術的範囲に含まれる。
【０１９８】
（関連出願の相互参照）
本出願は、2015年8月7日に出願された日本国特許出願：特願2015-156694に対して優先権の利益を主張するものであり、それを参照することにより、その内容の全てが本書に含まれる。
【符号の説明】
【０１９９】
１…端末装置
２、２−１、２−２…基地局装置
１０１、２０１…受信部
１０２、２０２…復調部
１０３、２０３…復号部
１０４、２０４…受信データ制御部
１０５、２０５…物理レイヤ制御部
１０６、２０６…送信データ制御部
１０７、２０７…符号部
１０８、２０８…変調部
１０９、２０９…送信部
１１０、２１０…無線リソース制御部
１１１…測定部
２１１…ネットワーク信号送受信部
【図１】
2017026414.tif 000003
【図２】
2017026414.tif 000004
【図３】
2017026414.tif 000005
【図４】
2017026414.tif 000006
【図５】
2017026414.tif 000007
【図６】
2017026414.tif 000008
【図７】
2017026414.tif 000009
【国際調査報告】
2017026414.tif 000010
2017026414.tif 000011